(57)【特許請求の範囲】
【請求項１】
遊技が実行される遊技装置を有するベース体と、
前記遊技装置における遊技を視認可能とする窓パネル部と、
前記遊技装置における遊技結果に基づいて遊技球を払い出す払出装置と、
前記窓パネル部より下側に設けられ、前記払出装置から払い出された遊技球を貯留する球受け皿と、
前記ベース体に対して前方に回動可能に設けられ、前記窓パネル部及び前記球受け皿を有する遊技機前面体と、
当該遊技機前面体に設けられ、入口部にて受けた遊技球を前記球受け皿へ導く第１通路部と、
当該第１通路部よりも上流側を構成し、前記払出装置から払い出された遊技球を前記入口部に導く第２通路部と、
前記遊技機前面体が開放された場合に前記第２通路部からの遊技球の流出を阻止する阻止手段と
を備え、
前記阻止手段は、前記第２通路部の出口部に対して出没する阻止部材であり、
前記阻止する状態では前記阻止部材の上部により遊技球を受けるものであり、前記遊技機前面体が閉鎖された場合に前記阻止部材の上部が後方へ移動して前記阻止しない状態へ切り替わるものであり、
前記第１通路部の前記入口部は、上方に開放して形成され、前記第２通路部の出口部は、前記遊技機前面体を閉鎖した状態において前記入口部と上下に対向するように下方に開放して形成され、
前記第２通路部は、前記出口部付近において当該出口部に向けて下り傾斜となった傾斜部を有することを特徴とする遊技機。
【請求項２】
前記遊技装置は、遊技球が流下する遊技領域を形成する遊技盤であり、
前記ベース体は、前記遊技盤が固定されるものであり、
前記窓パネル部は、前記遊技領域を視認可能とする部位であり、
前記払出装置は、前記遊技領域に設けられた入球部に遊技球が入球した場合に、遊技球を払い出すものであることを特徴とする請求項１に記載の遊技機。
【発明の詳細な説明】
【技術分野】
【０００１】
本発明は、遊技機に関するものである。
【背景技術】
【０００２】
遊技機の一種であるパチンコ遊技機は、その遊技機前面部に球受け皿が設けられている。球受け皿に貯留された遊技球は遊技球発射装置へ案内され、遊技者によって発射操作がされることにより遊技装置としての遊技盤に形成された遊技領域へ打ち出される。そして、例えば遊技領域に設けられた入球部に遊技球が入球することにより、払出装置から球受け皿に対して所定数の遊技球が払い出される。
【０００３】
また、遊技機前面部における球受け皿の上方には窓パネル部が設けられており、当該窓パネル部を介してパチンコ遊技機の前方から遊技領域が視認可能となっている。この場合に、例えば、遊技中に遊技領域にて球詰まりなどが発生した場合には、窓パネル部を開放することで球詰まりの解消作業が行われる。
【０００４】
かかる構成において、従来のパチンコ遊技機では、窓パネル部と球受け皿とがそれぞれ別ユニットとして設けられていた（例えば、特許文献１参照）。しかしながら、上記のように窓パネル部と球受け皿とがそれぞれ別ユニットとして設けられた構成においては、それらユニット間に境界が生じてしまう。この場合、その境界を利用して遊技機内部に不正用冶具を挿入するといった不正行為が想定される。
【先行技術文献】
【特許文献】
【０００５】
【特許文献１】特開２００６−２６３３６号公報
【発明の概要】
【発明が解決しようとする課題】
【０００６】
そこで、本発明者は、窓パネル部と、球受け皿とを遊技機前面体に設けてユニット化することを考え出した。これにより、遊技機前面部において上記のような境界が存在しないようにすることができる。しかしながら、かかる構成においては、窓パネル部の開放操作に伴って球受け皿も前方に開放される。この場合、球受け皿への排出口よりも遊技機内部に貯留された遊技球が遊技機前面体の開放操作に際して遊技機外部へ流出してしまうといった不都合が生じるおそれがある。
【０００７】
なお、以上の問題は、パチンコ遊技機に限定されるものではなく、窓パネル部と球受け皿とを備えた他の遊技機においても同様に発生する。
【０００８】
本発明は、上記例示した事情等に鑑みてなされたものであり、遊技機前面体の開放操作を良好に行うことができる遊技機を提供することを目的とするものである。
【課題を解決するための手段】
【０００９】
請求項１記載の発明は、遊技が実行される遊技装置を有するベース体と、
前記遊技装置における遊技を視認可能とする窓パネル部と、
前記遊技装置における遊技結果に基づいて遊技球を払い出す払出装置と、
前記窓パネル部より下側に設けられ、前記払出装置から払い出された遊技球を貯留する球受け皿と、
前記ベース体に対して前方に回動可能に設けられ、前記窓パネル部及び前記球受け皿を有する遊技機前面体と、
当該遊技機前面体に設けられ、入口部にて受けた遊技球を前記球受け皿へ導く第１通路部と、
当該第１通路部よりも上流側を構成し、前記払出装置から払い出された遊技球を前記入口部に導く第２通路部と、
前記遊技機前面体が開放された場合に前記第２通路部からの遊技球の流出を阻止する阻止手段と
を備え、
前記阻止手段は、前記第２通路部の出口部に対して出没する阻止部材であり、
前記阻止する状態では前記阻止部材の上部により遊技球を受けるものであり、前記遊技機前面体が閉鎖された場合に前記阻止部材の上部が後方へ移動して前記阻止しない状態へ切り替わるものであり、
前記第１通路部の前記入口部は、上方に開放して形成され、前記第２通路部の出口部は、前記遊技機前面体を閉鎖した状態において前記入口部と上下に対向するように下方に開放して形成され、
前記第２通路部は、前記出口部付近において当該出口部に向けて下り傾斜となった傾斜部を有することを特徴とする。
【発明の効果】
【００１０】
本発明によれば、遊技機前面体の開放操作を良好に行うことが可能となる。
【図面の簡単な説明】
【００１１】
【図１】一実施の形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パックユニットの構成を示す正面図である。
【図１３】裏パックユニットの分解斜視図である。
【図１４】遊技球の払い出しに関する通路構成を説明するための説明図である。
【図１５】遊技球振分部を説明するための説明図である。
【図１６】前扉側通路ユニットの斜視図である。
【図１７】前扉側通路ユニットの正面図である。
【図１８】前扉側通路ユニットの平面図である。
【図１９】シャッター機構の分解斜視図である。
【図２０】（ａ）はシャッター部材の斜視図であり、（ｂ）は（ａ）のＡ―Ａ線断面図である。
【図２１】シャッター機構の動きを説明するための説明図である。
【図２２】シャッター機構の動きを説明するための説明図である。
【図２３】球詰まり抑制構造を説明するための説明図である。
【図２４】本体枠におけるシャッター機構周辺を拡大して示す斜視図である。
【図２５】パチンコ機の電気的構成を示すブロック図である。
【図２６】遊技球の払い出しに関する電気的構成を示すブロック図である。
【図２７】払出停止処理を示すフローチャートである。
【図２８】別の前扉側通路ユニットを示す正面図である。
【発明を実施するための形態】
【００１２】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【００１３】
手段１．遊技が実行される遊技装置（遊技盤８１）を有するベース体（本体枠１３）と、
当該ベース体の前側に設けられ、前記遊技装置における遊技を視認可能とする窓パネル部（窓部２１、ガラス２２）と、
前記ベース体の後側に設けられ、前記遊技装置における遊技結果に基づいて遊技球を払い出す払出装置（払出装置２２４）と、
前記窓パネル部の下方に設けられ、前記払出装置から払い出された遊技球を貯留する球受け皿（上皿３３、下皿３４）と、
前記ベース体に対して前方に回動可能に設けられ、前記窓パネル部及び前記球受け皿を有する遊技機前面体（前扉枠１４）と、
当該遊技機前面体に設けられ入口部（内側開口部２７８、外側開口部２７９）にて受けた遊技球を前記球受け皿へ導く第１通路部（前扉側上皿通路部２７２、前扉側下皿通路部２７３）、及び当該第１通路部よりも上流側を構成し前記入口部に遊技球を導く第２通路部（裏パック側上皿通路部２５８、裏パック側下皿通路部２５９、本体側上皿通路部２６２、本体側下皿通路部２６３）を有し、前記払出装置から払い出された遊技球を前記球受け皿に導く受け皿通路（裏パック側上皿通路部２５８、本体側上皿通路部２６２、及び前扉側上皿通路部２７２からなる上皿通路、裏パック側下皿通路部２５９、本体側下皿通路部２６３、及び前扉側下皿通路部２７３からなる下皿通路）と、
前記遊技機前面体が開放された場合に前記第２通路部の遊技球の通過を阻止する通過阻止手段（シャッター部材２９３）とを備え、
前記入口部の位置が前記ベース体の背面よりも前側となるように前記第１通路部を形成するとともに、前記ベース体の後側から当該ベース体の背面よりも前側まで延ばして前記第２通路部を形成したことを特徴とする遊技機。
【００１４】
手段１によれば、遊技機前面体に窓パネル部と球受け皿とが設けられている。これにより、遊技機前面部において窓パネル部と球受け皿との間に境界が生じることはなく、従来の遊技機のような当該境界を利用した不正行為を抑制することができる。また、当該構成によれば、遊技機のデザイン上、好適なものとなる。
【００１５】
この場合に、払出装置から払い出された遊技球を球受け皿に導く受け皿通路は、遊技機前面体に設けられ入口部にて受けた遊技球を球受け皿へ導く第１通路部と、第１通路部よりも上流側を構成し入口部に遊技球を導く第２通路部とを有する。また、遊技機前面体が開放された場合に第２通路部の遊技球の通過を阻止する通過阻止手段が設けられている。これにより、上記のように窓パネル部と球受け皿とを遊技機前面体に設けた構成において、球受け皿が満杯状態である場合に遊技機前面体を開放する必要が生じたとしても、その開放操作に際して球受け皿に貯留された遊技球や球受け皿に向けて待機された遊技球が遊技機外部へ流出してしまうことが抑制される。よって、遊技機前面体の開放操作を良好に行うことができる。
【００１６】
また、本構成においては、入口部の位置がベース体の背面よりも前側となるように第１通路部が形成されており、さらにベース体の後側から当該ベース体の背面よりも前側まで延ばして第２通路部が形成されている。これにより、第１通路部をベース体の後側まで延ばして形成する構成に比べ第１通路部の後方への突出量が抑えられ、第１通路部を極力コンパクトなものとすることが可能となる。よって、遊技機前面体の開放操作を良好に行うことができる。
【００１７】
手段２．手段１において、前記ベース体は、前記第１通路部を形成する第１通路形成体（前扉側通路ユニット２７１）の後側と対峙する位置に、当該第１通路形成体の後側をカバーするカバー部（収容凹部２９２ｂ）を有することを特徴とする遊技機。
【００１８】
手段２によれば、ベース体には第１通路形成体の後側にカバー部が形成されているので、第１通路形成体がベース体を前後方向に貫通していない。第１通路形成体がベース体を前後方向に貫通する構成を想定すると、遊技機前面体の開放操作における第１通路形成体の回動範囲を確保できる大きさの貫通孔等がベース体に形成されるため、ベース体の強度低下を招くおそれがある。これに対して、ベース体にカバー部が設けられており第１通路形成体がベース体を前後方向に貫通していないため、上記不都合の発生を抑制することができる。
【００１９】
なお、「第１通路形成体の後側をカバーする」構成には、第１通路形成体の後側に貫通孔が全く存在しない構成だけでなく、第１通路形成体を貫通させない程度の貫通孔が存在する構成も含まれる。
【００２０】
手段３．手段１又は２において、前記第１通路部の前記入口部を、上方に開放させて形成するとともに、
前記第２通路部の出口部（球出口２６２ａ，２６３ａ）を、前記遊技機前面体を閉鎖した状態において前記入口部と上下に対向するように下方に開放させて形成したことを特徴とする遊技機。
【００２１】
手段３によれば、第１通路部と第２通路部との境界部分においては遊技球が上下方向に流れる。この場合に、第１通路部の入口部が上方に開放されているので、遊技機前面体を開放した場合に第１通路部内にある遊技球が零れにくくなり、遊技機前面体の開放操作を良好に行うことができる。
【００２２】
手段４．手段１乃至３のいずれかにおいて、前記通過阻止手段は、前記第２通路部の出口部（球出口２６２ａ，２６３ａ）に対して出没するシャッター部材（シャッター部材２９３）であることを特徴とする遊技機。
【００２３】
手段４によれば、第２通路部の出口部に対してシャッター部材が出没するため、遊技機前面体が開放される場合には第２通路部の最下流部にて遊技球の通過が阻止される。よって、遊技機前面体の開放に際して第２通路部側から遊技球が零れてしまうことを抑制することができる。
【００２４】
手段５．手段４において、前記第１通路部の前記入口部を、上方に開放させて形成するとともに、前記第２通路部の出口部（球出口２６２ａ，２６３ａ）を、前記遊技機前面体を閉鎖した状態において前記入口部と上下に対向するように下方に開放させて形成し、
前記第２通路部は、前記出口部付近において当該出口部に向けて下り傾斜となった傾斜部（底部２５８ａ，２５９ａ，２６２ｂ，２６３ｂ）を有することを特徴とする遊技機。
【００２５】
手段５によれば、第１通路部と第２通路部との境界部分においては遊技球が上下方向に流れる。この場合に、第１通路部の入口部が上方に開放されているので、遊技機前面体を開放した場合に第１通路部内にある遊技球が零れにくくなり、遊技機前面体の開放操作を良好に行うことができる。
【００２６】
また、第２通路部においてその出口部付近に待機する遊技球はその負荷の少なくとも一部が傾斜部の底部にて受けられる。よって、シャッター部材にかかる負荷を低減することが可能となり、シャッター部材の開閉操作の円滑化を図ることができる。
【００２７】
手段６．手段４又は５において、前記シャッター部材は、前記第１通路部を形成する第１通路形成体に設けられた押出し部（受口部２７５）に押されることで前記第２通路部の遊技球の通過阻止を解除し、
さらに、前記第２通路部の遊技球の通過を阻止する方向に前記シャッター部材を付勢する付勢手段（コイルバネ２９４）を設けたことを特徴とする遊技機。
【００２８】
手段６によれば、シャッター部材は第１通路形成体の押出し部に後方に押されることで第２通路部の遊技球の通過を可能とし、遊技機前面体が開放された場合には付勢手段の付勢力により第２通路部の出口部に対して突出し第２通路部の遊技球の通過を阻止する。かかる構成とすることにより、第１通路形成体とシャッター部材との間にリンク機構を設ける構成や、シャッター部材の駆動手段を設ける構成に比べ、構成の簡素化を図ることができる。また、第１通路形成体の押出し部によりシャッター部材を直接押すため、遊技機前面体の開閉に対するシャッター部材の連動を良好なものとすることができる。
【００２９】
手段７．手段６において、前記押出し部は、前記入口部を有することを特徴とする遊技機。
【００３０】
手段７によれば、押出し部は第１通路部の入口部を形成する機能と、シャッター部材を押出す機能とを併せ持つこととなる。これにより、それぞれの機能を別体で設ける構成に比べ、構成の簡素化を図ることができる。
【００３１】
手段８．手段６又は７において、前記第１通路部の前記入口部を、上方に開放させて形成するとともに、前記第２通路部の出口部（球出口２６２ａ，２６３ａ）を、前記遊技機前面体を閉鎖した状態において前記入口部と上下に対向するように下方に開放させて形成し、
前記シャッター部材は、前記押出し部と当接する当接部（当接部２９９ａ）と、前記出口部を遊技球の通過が不可となるよう塞ぐ阻止部（上端部２９８）とを有し、
前記遊技機前面体が開放される場合、前記阻止部が前記入口部と前後に並んだ状態で遊技球の通過を阻止する阻止位置に移動するよう構成したことを特徴とする遊技機。
【００３２】
手段８によれば、遊技機前面体が開放される場合、阻止部が入口部と前後に並んだ状態で阻止位置に移動するため、第２通路部の出口部に対して第１通路部の入口部が離れるのに合わせて第２通路部の遊技球の通過を阻止することができる。よって、遊技機前面体の開放に際して第２通路部から遊技球が零れてしまうことを抑制することができる。
【００３３】
手段９．手段８において、前記球受け皿として、前記払出装置から払い出された遊技球を貯留する上皿（上皿３３）と、当該上皿にて余剰となった遊技球を貯留する下皿（下皿３４）とを備えるとともに、
前記第１通路形成体は、上皿用入口部（内側開口部２７８）を有し当該上皿用入口部にて受けた遊技球を前記上皿へ導く上皿用第１通路部（前扉側上皿通路２７２）と、下皿用入口部（外側開口部２７９）を有し当該下皿用入口部にて受けた遊技球を前記下皿へ導く下皿用第１通路部（前扉側下皿通路２７３）とを備え、
前記第２通路部を形成する第２通路形成体（裏パック側通路ユニット２５７、本体側通路ユニット２６１）は、前記上皿用入口部に遊技球を導く上皿用第２通路部（裏パック側上皿通路部２５８、本体側上皿通路部２６２）と、前記下皿用入口部に遊技球を導く下皿用第２通路部（裏パック側下皿通路部２５９、本体側下皿通路部２６３）とを別々に備えるとともに、前記上皿が満杯状態となり前記上皿用第２通路部の最上流部まで遊技球が待機した場合に前記払出装置から払い出された遊技球を前記下皿用第２通路部に振り分ける球振分部（遊技球振分部２５２）を前記ベース体よりも後側に備えたことを特徴とする遊技機。
【００３４】
手段９の遊技機では、上皿と下皿とが設けられており、上皿が満杯状態となった場合にはその余剰球が下皿に排出される。この場合に、入口部の位置がベース体の背面よりも前側となるようにした構成において、球振分部はベース体の後側に設けられている。これにより、第１通路形成体を極力コンパクトなものとした構成において、上皿に対する球振分部の距離を極力大きく確保することができる。上皿と球振分部との間にある上皿用第１通路部及び上皿用第２通路部は、上皿に払い出される遊技球の待機通路を構成するものであり、これらの通路長を極力大きく確保することで上皿における遊技球の貯留容量を実質的に大きく確保することができる。
【００３５】
なお、「ベース体よりも後側」とは、ベース体よりも遊技機後方のことをいう。
【００３６】
手段１０．手段９において、前記押出し部は前記各入口部が左右に並設された受口部（受口部２７５）であり、当該受口部を前記上皿用入口部（内側開口部２７８）が前記遊技機前面体の回動先端側となるよう形成し、
さらに、前記当接部を前記受口部における前記上皿用入口部側と当接するよう形成するとともに、前記シャッター部材には前記受口部における前記下皿用入口部側と当接しないように逃げ部（逃げ部２９９ｂ）を形成したことを特徴とする遊技機。
【００３７】
手段１０によれば、上皿用入口部が遊技機前面体の回動先端側となるように受口部が形成されている。この場合に、受口部の左右両側と当接するようにシャッター部材が形成された構成においては、回動基端側にある下皿用入口部に追従するようにして阻止部が阻止位置に移動するものと考えられる。しかしながら、上皿と下皿とを備えた遊技機においては上皿が満杯状態となった後に下皿が満杯状態となるため、遊技機前面体の開放に際しては上皿のみが満杯状態である場合が多くあると考えられる。かかる状況において上記のように下皿用入口部に追従するように阻止部が阻止位置に移動すると、上皿用第２通路部の遊技球の通過が阻止されていないにも関わらず上皿用入口部が上皿用第２通路部の出口部から離れてしまうおそれがある。これに対して、当接部が受口部における上皿用入口部側と当接するよう形成されており、さらにシャッター部材には受口部における下皿用入口部側と当接しないように逃げ部が形成されている。これにより、上皿用入口部に追従するように阻止部が阻止位置に移動することとなり、上記不都合の発生を抑制することができる。
【００３８】
手段１１．手段１乃至８のいずれかにおいて、前記球受け皿として、前記払出装置から払い出された遊技球を貯留する上皿（上皿３３）と、当該上皿にて余剰となった遊技球を貯留する下皿（下皿３４）とを備えるとともに、
前記第１通路部として、上皿用入口部（内側開口部２７８）を有し当該上皿用入口部にて受けた遊技球を前記上皿へ導く上皿用第１通路部（前扉側上皿通路２７２）と、下皿用入口部（外側開口部２７９）を有し当該下皿用入口部にて受けた遊技球を前記下皿へ導く下皿用第１通路部（前扉側下皿通路２７３）とを備え、
前記第２通路部を形成する第２通路形成体（裏パック側通路ユニット２５７、本体側通路ユニット２６１）は、前記上皿用入口部に遊技球を導く上皿用第２通路部（裏パック側上皿通路部２５８、本体側上皿通路部２６２）と、前記下皿用入口部に遊技球を導く下皿用第２通路部（裏パック側下皿通路部２５９、本体側下皿通路部２６３）とを別々に備えるとともに、前記上皿が満杯状態となり前記上皿用第２通路部の最上流部まで遊技球が待機した場合に前記払出装置から払い出された遊技球を前記下皿用第２通路部に振り分ける球振分部（遊技球振分部２５２）を前記ベース体よりも後側に備えたことを特徴とする遊技機。
【００３９】
手段１１の遊技機では、上皿と下皿とが設けられており、上皿が満杯状態となった場合にはその余剰球が下皿に排出される。この場合に、入口部の位置がベース体の背面よりも前側となるようにした構成において、球振分部はベース体の後側に設けられている。これにより、第１通路形成体を極力コンパクトなものとした構成において、上皿に対する球振分部の距離を極力大きく確保することができる。上皿と球振分部との間にある上皿用第１通路部及び上皿用第２通路部は、上皿に払い出される遊技球の待機通路を構成するものであり、これらの通路長を極力大きく確保することで上皿における遊技球の貯留容量を実質的に大きく確保することができる。
【００４０】
なお、「ベース体よりも後側」とは、ベース体よりも遊技機後方のことをいう。
【００４１】
手段１２．手段９乃至１１のいずれかにおいて、前記下皿用第１通路部を流下する遊技球を検知する満杯検知手段（満杯検知センサ２８０）と、満杯検知手段の検知結果に基づいて前記下皿が満杯状態であると判定された場合に前記払出装置による遊技球の払い出しを制限する払出制限手段（主制御装置１６２におけるステップＳ１４の処理、払出制御装置２４２）とを備えたことを特徴とする遊技機。
【００４２】
手段１２によれば、下皿が満杯状態であるにも関わらず遊技球が払い出され続けてしまうことが抑制される。また、本構成においては、満杯検知手段が下皿用第１通路部に設けられているので、下皿が満杯状態となった場合には下皿用第１通路部よりも上流側まで遊技球が待機しない範囲で払出装置による遊技球の払い出しを制限することが可能となる。つまり、上皿と下皿との両方が満杯状態であったとしても、下皿用第１通路部と下皿用第２通路部との境界部分に遊技球が待機しないようにすることが可能となる。これにより、上皿と下皿との両方が満杯状態において遊技機前面体を開放する場合に、通過阻止手段に掛かる負荷を低減することが可能となる。
【００４３】
なお、「遊技球の払い出しを制限する」とは、遊技球の払い出しを停止する構成のみならず、遊技球の払出速度を極端に低下させることで、遊技球の払い出しが実質的に実行されない構成も含む。
【００４４】
手段１３．手段１乃至１２のいずれかにおいて、前記遊技機前面体が開放されたことを検知する開放検知手段（前扉開放スイッチ７８）と、当該開放検知手段の検知結果に基づいて前記遊技機前面体が開放されたか否かを判定する開放判定手段（主制御装置１６２におけるステップＳ１２の処理）と、開放判定手段により前記遊技機前面体が開放されたと判定された場合に前記払出装置による遊技球の払い出しを制限する払出制限手段（主制御装置１６２におけるステップＳ１４の処理、払出制御装置２４２）とを備えたことを特徴とする遊技機。
【００４５】
手段１３によれば、遊技機前面体が開放された場合には、払出装置による遊技球の払い出しが制限される。これにより、遊技機前面体が開放されたにも関わらず遊技球の払い出しが継続されることが抑制される。
【００４６】
手段１４．手段１乃至１３のいずれかにおいて、前記第１通路部の前記入口部を、上方に開放させて形成するとともに、前記第２通路部の出口部（球出口２６２ａ，２６３ａ）を、前記遊技機前面体を閉鎖した状態において前記入口部と上下に対向するように下方に開放させて形成し、
前記入口部と前記出口部とを上下方向に離間させたことを特徴とする遊技機。
【００４７】
手段１４によれば、第１通路部と第２通路部との境界部分においては遊技球が上下方向に流れる。この場合に、第１通路部の入口部が上方に開放されているので、遊技機前面体を開放した際に第１通路部内にある遊技球が零れにくくなり、遊技機前面体の開放操作を良好に行うことができる。
【００４８】
但し、遊技機前面体の開放に際して第１通路部と第２通路部との境界部分に遊技球があると、その遊技球が第２通路部の通路壁に当たり遊技機前面体の開放が阻害されるおそれがある。これに対して、第１通路部の入口部と第２通路部の出口部とが上下方向に離間されているので、遊技機前面体の開放に際して第１通路部の入口部から上方に突出した遊技球があったとしてもその遊技球が第２通路部の通路壁に当たりづらくなる。よって、遊技機前面体の開放を良好に行うことができる。
【００４９】
なお、遊技機前面体を閉鎖した状態において第２通路部から第１通路部への遊技球の導入を確実に行うべく、第１通路部の入口部と第２通路部の出口部との間の距離は遊技球１個分未満とするのが好ましい。
【００５０】
手段１５．手段１乃至１４のいずれかにおいて、前記第１通路部の前記入口部を、上方に開放させて形成するとともに、前記第２通路部の出口部（球出口２６２ａ，２６３ａ）を、前記遊技機前面体を閉鎖した状態において前記入口部と上下に対向するように下方に開放させて形成し、
前記第２通路部を形成する第２通路形成体（裏パック側通路ユニット２５７、本体側通路ユニット２６１）の前壁部（手前側通路壁２６５）の下端、及び前記遊技機前面体の回動先端側となる前記第２通路形成体の側壁部（右側通路壁２６６）の下端を、前記第２通路形成体の他の壁部（仕切用通路壁２６４等）の下端に対して上方としたことを特徴とする遊技機。
【００５１】
手段１５によれば、第１通路部と第２通路部との境界部分においては遊技球が上下方向に流れる。この場合に、第１通路部の入口部が上方に開放されているので、遊技機前面体を開放した際に第１通路部内にある遊技球が零れにくくなり、遊技機前面体の開放操作を良好に行うことができる。
【００５２】
但し、遊技機前面体の開放に際して第１通路部と第２通路部との境界部分に遊技球があると、その遊技球が第２通路部の通路壁に当たり遊技機前面体の開放が阻害されるおそれがある。この場合に、第１通路部と第２通路部との境界部分にある遊技球が遊技機前面体の開放に際して当たる場所としては、第２通路形成体における前壁部及び回動先端側となる側壁部が考えられる。これに対して、前壁部の下端及び側壁部の下端が他の壁部の下端に対して上方となるように第２通路形成体が形成されている。これにより、遊技機前面体の開放に際して第１通路部の入口部から上方に突出した遊技球があったとしてもその遊技球が第２通路部の通路壁に当たりづらくなる。よって、遊技機前面体の開放を良好に行うことができる。
【００５３】
また、第２通路形成体における前記他の壁部の下端を前壁部の下端や側壁部の下端よりも下方にすることで、遊技機前面体の開放を良好に行うという上記効果を奏しつつ第２通路部の出口部と第１通路部の入口部との間の隙間を極力狭くすることが可能となり、第２通路部から第１通路部への遊技球の導入を良好に行うことができる。
【００５４】
なお、遊技機前面体を閉鎖した状態において第２通路部から第１通路部への遊技球の導入を確実に行うべく、第１通路部の入口部と第２通路形成体における前壁部及び回動先端側の側壁部との間の距離は遊技球１個分未満とするのが好ましい。
【００５５】
手段１６．手段１乃至１５のいずれかにおいて、前記第１通路部の前記入口部を、上方に開放させて形成するとともに、前記第２通路部の出口部（球出口２６２ａ，２６３ａ）を、前記遊技機前面体を閉鎖した状態において前記入口部と上下に対向するように下方に開放させて形成し、
前記遊技機前面体の開放に際して前記入口部と前記出口部との境界部分に遊技球がある場合、前記第２通路部の通路壁の下方を通って前記入口部とともに前方に移動するよう前記境界部分にある遊技球を案内する案内構造を有することを特徴とする遊技機。
【００５６】
手段１６によれば、第１通路部と第２通路部との境界部分においては遊技球が上下方向に流れる。この場合に、第１通路部の入口部が上方に開放されているので、遊技機前面体を開放した際に第１通路部内にある遊技球が零れにくくなり、遊技機前面体の開放操作を良好に行うことができる。
【００５７】
但し、遊技機前面体の開放に際して第１通路部と第２通路部との境界部分に遊技球があると、その遊技球が第２通路部の通路壁に当たり遊技機前面体の開放が阻害されるおそれがある。これに対して、案内構造を有することにより境界部分にある遊技球が第２通路部の通路壁の下方を通って入口部とともに前方に移動するよう案内されるため、上記不都合の発生が抑制され、遊技機前面体の開放を良好に行うことができる。
【００５８】
手段１７．手段１６において、前記案内構造として、前記第１通路部を形成する第１通路形成体（前扉側通路ユニット２７１）に、前記遊技機前面体を開放させる場合に前記境界部分にある遊技球をその位置よりも下方に退避させる球退避部（外側開口部２７９、球退避部３５８）を設けたことを特徴とする遊技機。
【００５９】
手段１７によれば、球退避部が設けられているので、遊技機前面体の開放に際して第１通路部と第２通路部との境界部分に遊技球があったとしてもその遊技球がその位置よりも下方に退避され、その遊技球が第２通路部の通路壁に当たりづらくなる。よって、遊技機前面体の開放を良好に行うことができる。
【００６０】
手段１８．手段１７において、前記退避した遊技球が前記第１通路部内に導かれるように当該球退避部を形成したことを特徴とする遊技機。
【００６１】
手段１８によれば、第１通路部と第２通路部との境界部分にある遊技球が第２通路部の通路壁に当たりづらくなるだけでなく、その遊技球が第１通路部内に導出される。
【００６２】
手段１９．手段１７又は１８において、前記球受け皿として、前記払出装置から払い出された遊技球を貯留する上皿（上皿３３）と当該上皿にて余剰となった遊技球を貯留する下皿（下皿３４）とを備え、
前記第１通路形成体は、上皿用入口部を有し当該上皿用入口部にて受けた遊技球を前記上皿へ導く上皿用第１通路部（前扉側上皿通路２７２）と、下皿用入口部を有し当該下皿用入口部にて受けた遊技球を前記下皿へ導く下皿用第１通路部（前扉側下皿通路２７３）とを備えるとともに、上方に開放され仕切壁（仕切壁２７７）により仕切られて前記上皿用入口部及び前記下皿用入口部が形成された受口部（受口部２７５）を備え、
前記第２通路部を形成する第２通路形成体（裏パック側通路ユニット２５７、本体側通路ユニット２６１）には、その内部を仕切用通路壁（仕切用通路壁２６４）により仕切ることで、前記上皿用入口部に遊技球を導く上皿用第２通路部（裏パック側上皿通路部２５８、本体側上皿通路部２６２）と、前記下皿用入口部に遊技球を導く下皿用第２通路部（裏パック側下皿通路部２５９、本体側下皿通路部２６３）とを形成し、
さらに、前記下皿用入口部が前記上皿用入口部に対して前記遊技機前面体の回動基端側となるように前記受口部を形成し、
前記下皿用入口部を前記球退避部とすべく、前記遊技機前面体の開閉に際して前記上皿用第２通路部の出口部の下方を前記下皿用入口部が通過するように前記遊技機前面体の回動軸（回動軸２８２）を設定するとともに、
前記仕切壁をその上縁が前記受口部の上縁に対して下方となるように形成することにより、又は前記仕切壁の上縁の一部を下方に凹ませることにより、前記遊技機前面体の開放に際して前記上皿用入口部側から前記下皿用入口部側への遊技球の移動を許容する移動許容部（凹部２８３）を設けたことを特徴とする遊技機。
【００６３】
手段１９の遊技機では、上皿と下皿とが設けられており、上皿が満杯状態となった場合にはその余剰球が下皿に排出される。また、上皿と下皿とを備えた遊技機においては上皿が満杯状態となった後に下皿が満杯状態となるため、遊技機前面体の開放に際しては上皿のみが満杯状態である場合が多くあると考えられる。
【００６４】
この場合に、下皿用入口部が上皿用入口部に対して遊技機前面体の回動基端側となるように受口部が形成されている。また、遊技機前面体の開閉に際して上皿用第２通路部の出口部の下方を下皿用入口部が通過するように遊技機前面体の回動軸が設定されている。さらに、仕切壁には遊技機前面体の開放に際して上皿用入口部側から下皿用入口部側への遊技球の移動を許容する移動許容部が設けられている。これにより、下皿用入口部が球退避部として機能し、遊技機前面体の開放に際して上皿用第１通路部と上皿用第２通路部との境界部分に遊技球があったとしてもその遊技球が下皿用入口部に退避され、その遊技球が第２通路部の通路壁に当たりづらくなる。よって、遊技機前面体の開放を良好に行うことができる。
【００６５】
また、本構成によれば、下皿用入口部が球退避部としての機能を兼用することとなるため、構成の簡素化を図ることができ、さらには退避した遊技球は自ずと下皿に排出されることとなる。
【００６６】
手段２０．手段１９において、前記遊技機前面体を閉鎖した状態では前記移動許容部と前記仕切用通路壁との間の距離を遊技球１個分未満としたことを特徴とする遊技機。
【００６７】
手段２０によれば、受口部の仕切壁に移動許容部を形成した構成において、遊技機前面体を閉鎖した状態では移動許容部と仕切用通路壁との間の距離を遊技球１個分未満としたので、上皿用第２通路部を通過した遊技球は上皿用第１通路部に確実に導かれ、下皿用第２通路部を通過した遊技球は下皿用第１通路部に確実に導かれる。
【００６８】
手段２１．手段１７又は１８において、前記球退避部を前記第１通路部の前記入口部に対して前記遊技機前面体の回動基端側となるように形成するとともに、
前記遊技機前面体の開閉に際して前記第２通路部の出口部の下方を前記球退避部が通過するように前記遊技機前面体の回動軸を設定したことを特徴とする遊技機。
【００６９】
手段２１によれば、球退避部が第１通路部の入口部に対して遊技機前面体の回動基端側となるように形成されており、さらに遊技機前面体の開閉に際して第２通路部の出口部の下方を球退避部が通過するように遊技機前面体の回動軸が設定されているので、第１通路部と第２通路部との境界部分に遊技球があったとしてもその遊技球は遊技機前面体の開放に際して球退避部に退避される。
【００７０】
手段２２．手段１乃至１５のいずれかにおいて、前記第１通路部の前記入口部を、上方に開放させて形成するとともに、前記第２通路部の出口部（球出口２６２ａ，２６３ａ）を、前記遊技機前面体を閉鎖した状態において前記入口部と上下に対向するように下方に開放させて形成し、
前記第１通路部を形成する第１通路形成体（前扉側通路ユニット２７１）には前記入口部に対して前記遊技機前面体の回動基端側となる位置に、上方に開放させて形成され前記入口部に対して連通された球退避部（球退避部３５８）を設けるとともに、
前記遊技機前面体の開閉に際して前記第２通路部の出口部の下方を前記球退避部が通過するように前記遊技機前面体の回動軸を設定したことを特徴とする遊技機。
【００７１】
手段２２によれば、第１通路部と第２通路部との境界部分においては遊技球が上下方向に流れる。この場合に、第１通路部の入口部が上方に開放されているので、遊技機前面体を開放した際に第１通路部内にある遊技球が零れにくくなり、遊技機前面体の開放操作を良好に行うことができる。
【００７２】
但し、遊技機前面体の開放に際して第１通路部と第２通路部との境界部分に遊技球があると、その遊技球が第２通路部の通路壁に当たり遊技機前面体の開放が阻害されるおそれがある。これに対して、第１通路部の入口部に対して遊技機前面体の回動基端側となる位置に球退避部が形成されており、さらに遊技機前面体の開閉に際して第２通路部の出口部の下方を球退避部が通過するように遊技機前面体の回動軸が設定されている。これにより、遊技機前面体の開放に際して第１通路部と第２通路部との境界部分に遊技球があったとしてもその遊技球は球退避部に退避され第２通路部の通路壁に当たりづらくなる。よって、遊技機前面体の開放を良好に行うことができる。
【００７３】
手段２３．手段１乃至１５のいずれかにおいて、前記球受け皿として、前記払出装置から払い出された遊技球を貯留する上皿（上皿３３）と当該上皿にて余剰となった遊技球を貯留する下皿（下皿３４）とを備え、
前記第１通路形成体は、上皿用入口部を有し当該上皿用入口部にて受けた遊技球を前記上皿へ導く上皿用第１通路部（前扉側上皿通路２７２）と、下皿用入口部を有し当該下皿用入口部にて受けた遊技球を前記下皿へ導く下皿用第１通路部（前扉側下皿通路２７３）とを備えるとともに、上方に開放され仕切壁（仕切壁２７７）により仕切られて前記上皿用入口部及び前記下皿用入口部が形成された受口部（受口部２７５）を備え、
前記第２通路部を形成する第２通路形成体（裏パック側通路ユニット２５７、本体側通路ユニット２６１）には、その内部を仕切用通路壁（仕切用通路壁２６４）により仕切ることで、前記上皿用入口部に遊技球を導く上皿用第２通路部（裏パック側上皿通路部２５８、本体側上皿通路部２６２）と、前記下皿用入口部に遊技球を導く下皿用第２通路部（裏パック側下皿通路部２５９、本体側下皿通路部２６３）とを形成し、
さらに、前記下皿用入口部が前記上皿用入口部に対して前記遊技機前面体の回動基端側となるように前記受口部を形成し、
前記遊技機前面体の開閉に際して前記上皿用第２通路部の出口部の下方を前記下皿用入口部が通過するように前記遊技機前面体の回動軸（回動軸２８２）を設定するとともに、
前記仕切壁をその上縁が前記受口部の上縁に対して下方となるように形成した、又は前記仕切壁の上縁の一部を下方に凹ませたことを特徴とする遊技機。
【００７４】
手段２３の遊技機では、上皿と下皿とが設けられており、上皿が満杯状態となった場合にはその余剰球が下皿に排出される。また、上皿と下皿とを備えた遊技機においては上皿が満杯状態となった後に下皿が満杯状態となるため、遊技機前面体の開放に際しては上皿のみが満杯状態である場合が多くあると考えられる。
【００７５】
この場合に、下皿用入口部が上皿用入口部に対して遊技機前面体の回動基端側となるように受口部が形成されている。また、遊技機前面体の開閉に際して上皿用第２通路部の出口部の下方を下皿用入口部が通過するように遊技機前面体の回動軸が設定されている。さらに、受口部の仕切壁はその上縁が受口部の上縁に対して下方となるように形成されている、又は仕切壁の上縁の一部が下方に凹んでいる。これにより、遊技機前面体の開放に際して上皿用第１通路部と上皿用第２通路部との境界部分に遊技球があったとしてもその遊技球が下皿用入口部に退避され、その遊技球が第２通路部の通路壁に当たりづらくなる。よって、遊技機前面体の開放を良好に行うことができる。
【００７６】
また、本構成によれば、下皿用入口部が球退避部としての機能を兼用することとなるため、構成の簡素化を図ることができ、さらには退避した遊技球は自ずと下皿に排出されることとなる。
【００７７】
手段２４．手段１乃至２３のいずれかにおいて、前記第１通路部の前記入口部を、上方に開放させて形成するとともに、前記第２通路部の出口部（球出口２６２ａ，２６３ａ）を、前記遊技機前面体を閉鎖した状態において前記入口部と上下に対向するように下方に開放させて形成し、
前記第１通路部を形成する第１通路形成体（前扉側通路ユニット２７１）に、前記遊技機前面体の開放に際して前記入口部から零れた遊技球を受ける球受け部（球受け通路２８９）を設けたことを特徴とする遊技機。
【００７８】
手段２４によれば、第１通路部と第２通路部との境界部分においては遊技球が上下方向に流れる。この場合に、第１通路部の入口部が上方に開放されているので、遊技機前面体を開放した際に第１通路部内にある遊技球が零れにくくなり、遊技機前面体の開放操作を良好に行うことができる。
【００７９】
但し、遊技機前面体の開閉に伴う振動等により第１通路部の入口部にある遊技球がそこから零れてしまうおそれがある。これに対して、第１通路形成体に球受け部が設けられているので、その零れた遊技球を受けることができる。
【００８０】
手段２５．手段２４において、前記零れ球を前記第１通路部に導くように前記球受け部を形成したことを特徴とする遊技機。
【００８１】
手段２５によれば、球受け部にて受けた遊技球はそこで留まるのではなく第１通路部に導かれ、球受け皿に排出される。
【００８２】
手段２６．手段２５において、前記遊技装置は遊技球が流下する遊技領域が形成された遊技領域形成体（遊技盤８１）であり、前記遊技領域に向けて遊技球を発射する遊技球発射機構（遊技球発射機構１１０）と、当該遊技球発射機構から発射された遊技球を前記遊技領域の上部に誘導する誘導レール（内レール部１０１、外レール部１０２）とを左右方向に離間させて備え、
前記第１通路形成体には、前記遊技球発射機構と前記誘導レールとの間に配置され、前記遊技球発射機構から発射され前記遊技領域の上部に至らずに前記誘導レールを逆流した遊技球を回収し前記第１通路部に導くファール球通路（ファール球通路２８１ａ）を形成し、
前記球受け部は、前記第１通路部の入口部側から前記ファール球通路に向けて延び前記零れ球を前記ファール球通路に導く球受け通路（球受け通路２８９）であることを特徴とする遊技機。
【００８３】
手段２６の遊技機では、ファール球通路が形成されていることによりファール球が生じたとしてもそのファール球は球受け皿に排出される。この場合に、球受け通路はファール球通路に向けて延びており、受けられた零れ球はファール球通路に導かれる。そして、ファール球通路に導かれた遊技球は当該ファール球通路を介して球受け皿に排出される。かかる構成とすることにより、球受け通路にて受けた遊技球の球受け皿への排出を既存の構成を利用して行うことができる。
【００８４】
手段２７．手段２４乃至２６のいずれかにおいて、前記球受け部を、前記第１通路部の前記入口部に対して前記遊技機前面体の少なくとも回動先端側に設けたことを特徴とする遊技機。
【００８５】
手段２７によれば、遊技機前面体を開閉した場合にはその遠心力により、第１通路部の入口部から遊技機前面体の回動先端側に遊技球が零れ易いと考えられる。これに対して、球受け部が第１通路部の入口部に対して遊技機前面体の少なくとも回動先端側に設けられているので、零れ球の受けを良好に行うことができる。
【００８６】
手段２８．手段２４乃至２７のいずれかにおいて、前記球受け皿として、前記払出装置から払い出された遊技球を貯留する上皿（上皿３３）と、当該上皿にて余剰となった遊技球を貯留する下皿（下皿３４）とを備え、
前記第１通路形成体は、上皿用入口部（内側開口部２７８）を有し当該上皿用入口部にて受けた遊技球を前記上皿へ導く上皿用第１通路部（前扉側上皿通路部２７２）と、下皿用入口部（外側開口部２７９）を有し当該下皿用入口部にて受けた遊技球を前記下皿へ導く下皿用第１通路部（前扉側下皿通路部２７３）とを備え、
前記下皿用入口部を前記上皿用入口部に対して並設し、当該下皿用入口部により前記上皿用入口部に対する前記球受け部を構成したことを特徴とする遊技機。
【００８７】
手段２８の遊技機では、上皿と下皿とが設けられており、上皿が満杯状態となった場合にはその余剰球が下皿に排出される。また、上皿と下皿とを備えた遊技機においては上皿が満杯状態となった後に下皿が満杯状態となるため、遊技機前面体の開放に際しては上皿のみが満杯状態である場合が多くあると考えられる。
【００８８】
この場合に、下皿用入口部が上皿用入口部に対して並設されており、当該下皿用入口部により上皿用入口部に対する球受け部が構成されている。これにより、下皿用入口部が球受け部として兼用されるため、構成の簡素化を図りつつ、上皿用入口部からの零れ球を受けることができる。また、球受け部を構成するのが下皿用入口部であるため、受けられた零れ球は自ずと下皿に排出される。
【００８９】
手段２９．手段２４において、前記球受け皿として、前記払出装置から払い出された遊技球を貯留する上皿（上皿３３）と、当該上皿にて余剰となった遊技球を貯留する下皿（下皿３４）とを備え、
前記第１通路形成体は、上皿用入口部（内側開口部２７８）を有し当該上皿用入口部にて受けた遊技球を前記上皿へ導く上皿用第１通路部（前扉側上皿通路部２７２）と、下皿用入口部（外側開口部２７９）を有し当該下皿用入口部にて受けた遊技球を前記下皿へ導く下皿用第１通路部（前扉側下皿通路部２７３）とを備え、
前記下皿用第１通路部の通路壁（上壁２８７）により前記上皿用入口部に対する球受け部を構成したことを特徴とする遊技機。
【００９０】
手段２９の遊技機では、上皿と下皿とが設けられており、上皿が満杯状態となった場合にはその余剰球が下皿に排出される。また、上皿と下皿とを備えた遊技機においては上皿が満杯状態となった後に下皿が満杯状態となるため、遊技機前面体の開放に際しては上皿のみが満杯状態である場合が多くあると考えられる。この場合に、下皿用第１通路部の通路壁により球受け部が構成されている。これにより、遊技機において必須の構成を利用して球受け部を設けることができる。
【００９１】
手段３０．手段２９において、前記上皿用第１通路部を前後方向に延びるよう形成するとともに、前記下皿用第１通路部を前記上皿用入口部の下方を通り左右方向に延びるよう形成したことを特徴とする遊技機。
【００９２】
手段３０によれば、下皿用第１通路部が上皿用入口部の下方を通り左右方向に延びるよう形成されているので、当該下皿用第１通路部の通路壁により球受け部を構成することができる。
【００９３】
手段３１．手段３０において、前記下皿用入口部を前記上皿用入口部に対して前記遊技機前面体の回動基端側に設けるとともに、前記下皿用第１通路部を前記遊技機前面体の回動先端側に延びるよう形成したことを特徴とする遊技機。
【００９４】
手段３１によれば、下皿用第１通路部が上皿用入口部の下方を通って遊技機前面体の回動先端側に延びるよう形成されているので、下皿用第１通路部の通路壁によって構成される球受け部を上皿用入口部に対して回動先端側に設けることができる。遊技機前面体を開閉した場合にはその遠心力により、上皿用入口部から遊技機前面体の回動先端側に零れ易いと考えられる。これに対して、上記のとおり球受け部が上皿用入口部に対して回動先端側に設けられているので、零れ球の受けを良好に行うことができる。
【００９５】
手段３２．手段３０又は３１において、前記下皿用入口部を前記上皿用入口部に対して並設したことを特徴とする遊技機。
【００９６】
手段３２によれば、下皿用入口部が上皿用入口部に対して並設されているので、上皿用入口部から下皿用入口部側に零れた遊技球は当該下皿用入口部にて受けられる。つまり、下皿用入口部が球受け部として機能することとなる。これにより、上皿用入口部からの零れ球の受けをより良好に行うことができる。
【００９７】
手段３３．手段２９乃至３２のいずれかにおいて、前記遊技装置は遊技球が流下する遊技領域が形成された遊技領域形成体（遊技盤８１）であり、前記遊技領域に向けて遊技球を発射する遊技球発射機構（遊技球発射機構１１０）と、当該遊技球発射機構から発射された遊技球を前記遊技領域の上部に誘導する誘導レール（内レール部１０１、外レール部１０２）とを左右方向に離間させて備え、
前記第１通路形成体には、前記遊技球発射機構と前記誘導レールとの間に配置され、前記遊技球発射機構から発射され前記遊技領域の上部に至らずに前記誘導レールを逆流した遊技球を回収し前記下皿用第１通路部に導くファール球通路（ファール球通路２８１ａ）を形成し、
前記球受け部を構成する前記通路壁を前記ファール球通路の球入口に向けて下り傾斜となるよう形成したことを特徴とする遊技機。
【００９８】
手段３３の遊技機では、ファール球通路が形成されていることによりファール球が生じたとしてもそのファール球は下皿に排出される。この場合に、球受け部にて受けられた遊技球はファール球通路に導かれる。そして、ファール球通路に導かれた遊技球は下皿に排出される。かかる構成とすることにより、球受け部にて受けた遊技球はそこで留まるのではなく下皿に排出される。また、本構成によれば、球受け部にて受けた遊技球の下皿への排出を既存の構成を利用して行うことができる。
【００９９】
手段３４．遊技球が流下する遊技領域が形成された遊技流域形成体（遊技盤８１）が取り付けられる枠体（本体枠１３）と、
当該枠体の前側に設けられ、前記遊技領域を視認可能とする窓パネル部（窓部２１、ガラス２２）と、
前記枠体の後側に設けられ、前記遊技領域における遊技結果に基づいて遊技球を払い出す払出装置（払出装置２２４）と、
前記窓パネル部の下方に設けられ、前記払出装置から払い出された遊技球を貯留する球受け皿（上皿３３、下皿３４）と、
前記枠体に対して前方に回動可能に設けられ、前記窓パネル部及び前記球受け皿を有する遊技機前面体（前扉枠１４）と、
当該遊技機前面体に設けられ入口部（内側開口部２７８、外側開口部２７９）にて受けた遊技球を前記球受け皿へ導く第１通路部（前扉側上皿通路部２７２、前扉側下皿通路部２７３）、及び当該第１通路部よりも上流側を構成し前記入口部に遊技球を導く第２通路部（裏パック側上皿通路部２５８、裏パック側下皿通路部２５９、本体側上皿通路部２６２、本体側下皿通路部２６３）を有し、前記払出装置から払い出された遊技球を前記球受け皿に導く受け皿通路（裏パック側上皿通路部２５８、本体側上皿通路部２６２、及び前扉側上皿通路部２７２からなる上皿通路、裏パック側下皿通路部２５９、本体側下皿通路部２６３、及び前扉側下皿通路部２７３からなる下皿通路）と、
前記遊技機前面体が開放された場合に前記第２通路部の遊技球の通過を阻止する通過阻止手段（シャッター部材２９３）とを備え、
前記入口部の位置が前記枠体の背面よりも前側となるように前記第１通路部を形成するとともに、前記枠体の後側から当該枠体の背面よりも前側まで延ばして前記第２通路部を形成したことを特徴とする遊技機。
【０１００】
手段３４によれば、遊技機前面体に窓パネル部と球受け皿とが設けられている。これにより、遊技機前面部において窓パネル部と球受け皿との間に境界が生じることはなく、従来の遊技機のような当該境界を利用した不正行為を抑制することができる。また、当該構成によれば、遊技機のデザイン上、好適なものとなる。
【０１０１】
この場合に、払出装置から払い出された遊技球を球受け皿に導く受け皿通路は、遊技機前面体に設けられ入口部にて受けた遊技球を球受け皿へ導く第１通路部と、第１通路部よりも上流側を構成し入口部に遊技球を導く第２通路部とを有する。また、遊技機前面体が開放された場合に第２通路部の遊技球の通過を阻止する通過阻止手段が設けられている。これにより、上記のように窓パネル部と球受け皿とを遊技機前面体に設けた構成において、球受け皿が満杯状態である場合に遊技機前面体を開放する必要が生じたとしても、その開放操作に際して球受け皿に貯留された遊技球や球受け皿に向けて待機された遊技球が遊技機外部へ流出してしまうことが抑制される。よって、遊技機前面体の開放操作を良好に行うことができる。
【０１０２】
また、本構成においては、入口部の位置が枠体の背面よりも前側となるように第１通路部を形成するとともに、枠体の後側から当該枠体の背面よりも前側まで延ばして第２通路部を形成した。これにより、第１通路部を枠体の後側まで延ばして形成する構成に比べ第１通路部の後方への突出量が抑えられ、第１通路部を極力コンパクトなものとすることが可能となる。よって、遊技機前面体の開放操作を良好に行うことができる。
【０１０３】
手段３５．手段３４において、前記枠体は、前記第１通路部を形成する第１通路形成体（前扉側通路ユニット２７１）の後側と対峙する位置に、当該第１通路形成体の後側をカバーするカバー部（収容凹部２９２ｂ）を有することを特徴とする遊技機。
【０１０４】
手段３５によれば、枠体には第１通路形成体の後側にカバー部が形成されているので、第１通路形成体が枠体を前後方向に貫通していない。第１通路形成体が枠体を前後方向に貫通する構成を想定すると、遊技機前面体の開放操作における第１通路形成体の回動範囲を確保できる大きさの貫通孔等が枠体に形成されるため、枠体の強度低下を招くおそれがある。これに対して、枠体にカバー部が設けられており第１通路形成体が枠体を前後方向に貫通していないため、上記不都合の発生を抑制することができる。
【０１０５】
なお、「第１通路形成体の後側をカバーする」構成には、第１通路形成体の後側に貫通孔が全く存在しない構成だけでなく、第１通路形成体を貫通させない程度の貫通孔が存在する構成も含まれる。
【０１０６】
ここで、上記手段３４又は３５に、上記手段３乃至３３のいずれかを適用することで、各手段の効果を奏することができる。但し、この場合、「ベース体」を「枠体」に代えて適用する。
【０１０７】
手段３６．遊技が実行される遊技装置（遊技盤８１）と、
当該遊技装置の前側に設けられ、遊技装置における遊技を視認可能とする窓パネル部（窓部２１、ガラス２２）と、
前記遊技装置の奥側に設けられ、遊技装置における遊技結果に基づいて遊技球を払い出す払出装置（払出装置２２４）と、
前記窓パネル部の下方に設けられ、前記払出装置から払い出された遊技球を貯留する球受け皿（上皿３３、下皿３４）と
を備えた遊技機において、
前方へ回動可能に設けられた遊技機前面体（前扉枠１４）に前記窓パネル部と前記球受け皿とを設けるとともに、前記払出装置から払い出された遊技球を前記球受け皿に導く通路部（前扉側上皿通路部２７２、前扉側下皿通路部２７３）を前記遊技機前面体に設け、
さらに、前記通路部を流下する遊技球を検知する満杯検知手段（満杯検知センサ２８０）と、
満杯検知手段の検知結果に基づいて前記球受け皿が満杯状態であると判定された場合に前記払出装置による遊技球の払い出しを制限する払出制限手段（主制御装置１６２におけるステップＳ１４の処理、払出制御装置２４２）と
を備えたことを特徴とする遊技機。
【０１０８】
手段３６によれば、遊技機前面体に窓パネル部と球受け皿とが設けられている。これにより、遊技機前面部において窓パネル部と球受け皿との間に境界が生じることはなく、従来の遊技機のような当該境界を利用した不正行為を抑制することができる。また、当該構成によれば、遊技機のデザイン上、好適なものとなる。
【０１０９】
この場合に、遊技機前面体には球受け皿への通路部が設けられており、さらに通路部を流下する遊技球を検知する満杯検知手段が設けられている。そして、当該満杯検知手段の検知結果に基づいて、球受け皿が満杯状態であると判定された場合には、払出装置による遊技球の払い出しが制限される。これにより、上記のように窓パネル部と球受け皿とを遊技機前面体に設けた構成において、球受け皿が満杯状態である場合に窓パネル部の開放を行う必要が生じたとしても、その開放操作に際して球受け皿に貯留された遊技球が遊技機外部へ流出してしまうことが抑制される。
【０１１０】
さらに、通路部が設けられていることにより球受け皿への遊技球の排出が行われ、満杯検知手段が設けられていることにより球受け皿が満杯状態になっているにも関わらず遊技球が払い出され続けることが抑制される。すなわち、通路部及び満杯検知手段が設けられていることにより、球受け皿への遊技球の排出が円滑に行われる。そして、これら通路部及び満杯検知手段により上記遊技球の流出抑制効果が得られる。つまり、本手段における構成によれば、構成の簡素化を図りつつ、上記効果を奏することができる。
【０１１１】
なお、「遊技球の払い出しを制限する」とは、遊技球の払い出しを停止する構成のみならず、遊技球の払出速度を極端に低下させることで、遊技球の払い出しが実質的に実行されない構成も含む。
【０１１２】
ここで、上記手段３６に、上記手段３乃至３３のいずれかを適用することで、各手段の効果を奏することができる。
【０１１３】
以下に、以上の各手段を適用し得る各種遊技機の基本構成を示す。
【０１１４】
パチンコ遊技機：遊技者が操作する操作手段（遊技球発射ハンドル４１）と、その操作手段の操作に基づいて遊技球を発射する遊技球発射機構（遊技球発射機構１１０）と、その発射された遊技球を遊技装置に設けられた遊技領域に導く球通路（内レール部１０１、外レール部１０２）と、遊技領域内に配置された各遊技部品とを備え、それら各遊技部品のうち所定の入球部に遊技球が入球したことに基づいて払出装置から遊技球が払い出される遊技機。
【０１１５】
球使用回胴式遊技機：遊技装置として複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて払出装置から遊技球が払い出される遊技機。
【０１１６】
以下、遊技機の一種であるパチンコ遊技機（以下、「パチンコ機」という）の一実施の形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【０１１７】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【０１１８】
遊技機主部１２は、ベース体としての本体枠１３（支持体）と、その本体枠１３の前方に配置される前扉枠１４と、本体枠１３の後方に配置される裏パックユニット１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【０１１９】
本体枠１３には、図２に示すように、前扉枠１４が回動可能に支持されており、正面視で左側を回動基端側とし右側を回動先端側として前方へ回動可能とされている。また、本体枠１３には、図３に示すように、裏パックユニット１５が回動可能に支持されており、正面視で左側を回動基端側とし右側を回動先端側として後方へ回動可能とされている。
【０１２０】
次に、前扉枠１４について説明する。なお、以下の説明では、図１〜図３を参照するとともに、前扉枠１４の背面の構成については図５を参照する。図５は、前扉枠１４の背面図である。
【０１２１】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【０１２２】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。
【０１２３】
上皿３３は、その奥壁に球入口３３ａを有し、後述する払出装置より払い出され当該球入口３３ａを介して導入された遊技球を一旦貯留するとともに、それら遊技球を一列に整列させながら球出口３３ｂへ導く機能を有する。球出口３３ｂから上皿３３外に出た遊技球は後述する遊技球発射機構へ導かれる。なお、上側膨出部３１には、図示しない球抜きボタンが設けられており、当該球抜きボタンが操作されることにより、上皿３３に貯留された遊技球が下皿３４へ排出される。
【０１２４】
下皿３４は、その奥壁に球入口３４ａを有し、上皿３３内にて余剰となり球入口３４ａを介して導入された遊技球を貯留する機能を有する。また、下皿３４の底部には、球抜き孔が形成されており、下側膨出部３２の前面側に設けられた球抜きレバー３５が操作されることにより球抜き孔が開放され、貯留された遊技球が下皿３４の下方へ排出される。
【０１２５】
これら上皿３３及び下皿３４に後述する払出装置から払い出された遊技球を排出するための前扉側上皿通路部及び前扉側下皿通路部が、前扉枠１４の背面側に形成されている。かかる構成については後に詳細に説明する。
【０１２６】
下側膨出部３２の右方には、手前側へ突出するようにして遊技球発射ハンドル４１が設けられている。遊技球発射ハンドル４１が操作されることにより、後述する遊技球発射機構から遊技球が発射される。
【０１２７】
前扉枠１４の背面における回動基端側（図５の右側）には、その上端部及び下端部に突起軸６１，６２が設けられている。これら突起軸６１，６２は本体枠１３に対する組付機構を構成する。また、前扉枠１４の背面における回動先端側（図５の左側）には、図２に示すように、後方に延びる鉤金具６３が上下方向に複数並設されている。これら鉤金具６３は本体枠１３に対する施錠機構を構成する。
【０１２８】
次に、本体枠１３について詳細に説明する。図６は本体枠１３の正面図である。
【０１２９】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【０１３０】
樹脂ベース７１の上部には、前扉枠１４の開放の状態を検知するための前扉開放スイッチ７８が設けられている。前扉開放スイッチ７８は、樹脂ベース７１の前面に出没可能なピンを有しており、本体枠１３に対して前扉枠１４を閉じた状態ではピンが押し込まれて前扉枠１４の閉鎖が検知され、本体枠１３に対して前扉枠１４を開いた状態ではピンが突出位置に戻って前扉枠１４の開放が検知されるようになっている。
【０１３１】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【０１３２】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【０１３３】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【０１３４】
ここで、遊技盤８１の構成を図７に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されていると共に、風車等の各種部材（役物）が配設されている。
【０１３５】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【０１３６】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【０１３７】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【０１３８】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【０１３９】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【０１４０】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【０１４１】
樹脂ベース７１において発射レール１１２の左方には、後述する払出装置から払い出された遊技球を前扉枠１４側に導くための本体側上皿通路部及び本体側下皿通路部が、樹脂ベース７１を前後方向に貫通させて設けられている。さらには、本体側上皿通路部及び本体側下皿通路部に対するシャッター機構が設けられている。これらの構成については後に詳細に説明する。
【０１４２】
次に、本体枠１３の背面構成について説明する。図８は本体枠１３の背面図である。
【０１４３】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。
【０１４４】
樹脂ベース７１の背面における回動基端側（図８の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【０１４５】
樹脂ベース７１の背面における遊技盤８１が取り付けられた位置よりも下方には、長尺状の補強金属板１３７が左右方向に延びるようにして取り付けられている。また、補強金属板１３７が取り付けられた位置よりも下方には、補強リブ領域１３８が形成されている。これにより、樹脂ベース７１の補強が行われている。特に、これら補強金属板１３７及び補強リブ領域１３８が設けられた位置は、遊技球発射機構１１０の後方となっている。したがって、樹脂ベース７１における遊技球発射機構１１０の取り付け部分の平坦性が良好に保たれ、当該遊技球発射機構１１０からの遊技球の発射が好適に行われる。
【０１４６】
また、上述したように遊技球発射機構１１０の左方には当該樹脂ベース７１を前後方向に貫通するようにして本体側上皿通路部及び本体側下皿通路部が形成されている。したがって、樹脂ベース７１における遊技球発射機構１１０周辺の強度が低下し平坦性が損なわれるおそれがあるが、上記のとおり補強金属板１３７及び補強リブ領域１３８が設けられていることにより、かかる不都合の発生が抑制されている。
【０１４７】
次に、遊技盤８１の背面の構成を説明する。図９は遊技盤８１を後方より見た斜視図、図１０は遊技盤８１から主制御装置ユニット１６０を取り外した状態を示す背面図である。
【０１４８】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【０１４９】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【０１５０】
遊技盤８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【０１５１】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【０１５２】
入賞検知機構について説明すると、集合板ユニット１５０には、遊技盤８１表側の一般入賞口８２と対応する位置に入賞口スイッチ１５２が設けられ、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。なお、集合板ユニット１５０外における可変表示ユニット８６の左右両側には、スルーゲート８５を通過する遊技球を検知するゲートスイッチ１５５が設けられている。
【０１５３】
遊技盤８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【０１５４】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【０１５５】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【０１５６】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【０１５７】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０１５８】
次に、裏パックユニット１５について説明する。図１２は裏パックユニット１５の正面図、図１３は裏パックユニット１５の分解斜視図である。
【０１５９】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【０１６０】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０１６１】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。これらケースレール２２３及び払出装置２２４は、裏パックユニット１５の回動基端側にある。払出装置２２４より払い出された遊技球は、前扉枠１４に設けられた上皿３３又は下皿３４に排出される。かかる構成については後に詳細に説明する。
【０１６２】
払出機構部２０２には、裏パック基板２２９が設置されている。裏パック基板２２９には、例えば交流２４ボルトの主電源が供給され、電源スイッチ２２９ａの切替操作により電源ＯＮ又は電源ＯＦＦとされるようになっている。
【０１６３】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【０１６４】
制御装置集合ユニット２０４は、横長形状をなす取付台２４１を有し、取付台２４１に払出制御装置２４２と電源及び発射制御装置２４３とが搭載されている。これら払出制御装置２４２と電源及び発射制御装置２４３とは、払出制御装置２４２がパチンコ機１０後方となるように前後に重ねて配置されている。
【０１６５】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１６６】
電源及び発射制御装置２４３は、基板ボックス２４６内に電源及び発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１６７】
次に、払出装置２２４から払い出された遊技球の通路構成について説明する。図１４は遊技球の通路構成を説明するための説明図である。なお、図１４においては、便宜上、本体枠１３側及び裏パックユニット１５側の通路構成について断面で示す。
【０１６８】
払出装置２２４は、上述したとおりパチンコ機１０の背面部を構成する払出機構部２０２に設けられている。払出機構部２０２における払出装置２２４の下方には上下方向に延びる払出通路２５１が形成されている。払出装置２２４から払い出された遊技球は払出通路２５１を流下し、払出機構部２０２の下端に形成された遊技球振分部２５２に導入される。
【０１６９】
遊技球振分部２５２は、払出装置２２４より払い出された遊技球を前扉枠１４に設けられた上皿３３側又は下皿３４側に振り分ける機能を有する。詳細には、図１５に示す遊技球振分部２５２周辺の縦断面図に示すように、遊技球振分部２５２は上方及び前方に開放しており、その内部が２つの仕切壁２５３ａ，２５３ｂによって仕切られることで３つの開口部２５５ａ，２５５ｂ，２５５ｃが左右方向に並設されている。
【０１７０】
これら開口部２５５ａ，２５５ｂ，２５５ｃのうち、パチンコ機１０内側の開口部２５５ａは上皿３３へ続く上皿通路に通じており、中央の開口部２５５ｂは下皿３４へ続く下皿通路に通じている。なお、パチンコ機１０外側の開口部２５５ｃは排出通路２３１に通じており、タンク２２１に貯留された遊技球の排出作業においてはそれら貯留された遊技球が外側の開口部２５５ｃを介して排出通路２３１に導かれパチンコ機１０の外部に排出される。
【０１７１】
上皿通路は、裏パックユニット１５に設けられた裏パック側上皿通路部２５８と、本体枠１３に設けられた本体側上皿通路部２６２と、前扉枠１４に設けられた前扉側上皿通路部２７２とから構成されている。同様に、下皿通路は、裏パックユニット１５に設けられた裏パック側下皿通路部２５９と、本体枠１３に設けられた本体側下皿通路部２６３と、前扉枠１４に設けられた前扉側下皿通路部２７３とから構成されている。
【０１７２】
これら各通路部２５８，２５９，２６２，２６３，２７２，２７３について詳細に説明する。裏パック側上皿通路部２５８及び裏パック側下皿通路部２５９は、裏パックユニット１５の回動基端側においてベース部２１１を前後方向に貫通するようにして設けられた裏パック側通路ユニット２５７に形成されている（図１４参照）。裏パック側上皿通路部２５８及び裏パック側下皿通路部２５９は通路壁によって区画され左右方向に並設されている。また、裏パック側上皿通路部２５８及び裏パック側下皿通路部２５９は、それぞれ前後方向に延びており、下流側に向けて下り傾斜となっている。裏パック側上皿通路部２５８はその上流側が遊技球振分部２５２の内側の開口部２５５ａと連結されており、裏パック側下皿通路部２５９はその上流側が遊技球振分部２５２の中央の開口部２５５ｂと連結されている。以上の構成において裏パック側上皿通路部２５８及び裏パック側下皿通路部２５９に導入された遊技球は、底部２５８ａ，２５９ａ上を転がった後に本体側上皿通路部２６２及び本体側下皿通路部２６３のそれぞれに排出される。
【０１７３】
本体側上皿通路部２６２及び本体側下皿通路部２６３は、本体枠１３の回動基端側において樹脂ベース部７１を前後方向に貫通するようにして設けられた本体側通路ユニット２６１に形成されている。なお、遊技盤８１にはその隅角に本体側通路ユニット２６１を避けるようにして切欠部８９が設けられている（図７及び図８参照）。
【０１７４】
本体側上皿通路部２６２及び本体側下皿通路部２６３は、仕切用通路壁２６４によって区画されて左右方向に並設されており、それぞれ球出口２６２ａ，２６３ａが下方を向くようにして形成されている。詳細には、本体側上皿通路部２６２及び本体側下皿通路部２６３の上流側は下流側に向けて下り傾斜となっており、その下流側では若干下方に延出させて球出口２６２ａ，２６３ａが形成されている。各球出口２６２ａ，２６３ａは、それぞれ前後方向の寸法及び左右方向の寸法が遊技球２個分以上となっている。本体側上皿通路部２６２はその上流部が裏パック側上皿通路部２５８に連結されており、本体側下皿通路部２６３はその上流側が裏パック側下皿通路部２５９に連結されている。以上の構成において本体側上皿通路部２６２及び本体側下皿通路部２６３に導入された遊技球は、底部２６２ｂ，２６３ｂ上を転がり球出口２６２ａ，２６３ａを介して前扉側上皿通路部２７２及び前扉側下皿通路部２７３のそれぞれに排出される。
【０１７５】
前扉側上皿通路部２７２及び前扉側下皿通路部２７３は、前扉枠１４の背面に設けられた前扉側通路ユニット２７１に形成されている。ここで、前扉側通路ユニット２７１について図１６〜図１８を用いて説明する。図１６は前扉側通路ユニット２７１の斜視図、図１７は前扉側通路ユニット２７１の正面図、図１８は前扉側通路ユニット２７１の平面図である。
【０１７６】
前扉側通路ユニット２７１は、ポリカーボネート樹脂などといった透明性を有する合成樹脂により成形されており、前扉枠１４に対してネジ止めされている。前扉側通路ユニット２７１には、その上側隅部に前扉枠１４の背面よりも後方に突出させて受口部２７５が形成されており、さらに受口部２７５から横方向に延びる通路形成部２７６が形成されている。
【０１７７】
受口部２７５について詳細には、受口部２７５が形成され位置は前扉枠１４の回動基端側となっている。また、受口部２７５は前扉枠１４の回動軸よりも後方にあり、前扉枠１４を閉鎖した状態においては本体枠１３の前側端部よりも後側に入り込んでいる。但し、受口部２７５は本体枠１３の後側端部よりも前側にあり、本体枠１３（樹脂ベース７１）には受口部２７５の後側と対峙する位置に、当該受口部２７５の後側をカバーするカバー部としての収容凹部２９２ｂが形成されている。よって、前扉枠１４を閉鎖した状態において受口部２７５は本体枠１３を前後方向に貫通していない。また、受口部２７５は、図１６等に示すように上方に開放されており、その左右方向の略中央には底部から上方に起立した仕切壁２７７が一体形成されている。
【０１７８】
受口部２７５には、仕切壁２７７により仕切られることで、２つの開口部２７８，２８３が左右方向に並設されている。これら開口部２７８，２８３は、それぞれ前後方向の寸法及び左右方向の寸法が遊技球２個分以上となっている。開口部２７８，２８３のうちパチンコ機１０内側の開口部２７８は、本体側上皿通路部２６２の球出口２６２ａと上下に対峙しており、前扉側上皿通路部２７２の球入口となっている。この場合に、上記のとおり、受口部２７５は本体枠１３の前側端部よりも後側に入り込んでいるため、前扉側上皿通路部２７２と本体側上皿通路部２６２との境界部分は、その一部が本体枠１３の前側端部よりも後側に入り込んでいる。内側開口部２７８と上皿３３の球入口３３ａとは前後に並んでおり、前扉側上皿通路部２７２はそれら内側開口部２７８と球入口３３ａとを繋ぐように前後方向に延びている。
【０１７９】
受口部２７５におけるパチンコ機１０外側の開口部２７８は本体側下皿通路部２６３の球出口２６３ａと上下に対峙しており、通路形成部２７６に形成される前扉側下皿通路部２７３の球入口となっている。この場合に、上記のとおり、受口部２７５は本体枠１３の前側端部よりも後側に入り込んでいるため、前扉側下皿通路部２７３と本体側下皿通路部２６３との境界部分は、その一部が本体枠１３の前側端部よりも後側に入り込んでいる。
【０１８０】
外側開口部２７９と下皿３４の球入口３４ａとは左右方向及び上下方向にずれた位置関係となっている。詳細には、外側開口部２７９が前扉枠１４の回動基端側にあり、下皿３４の球入口３４ａは前扉枠１４の左右方向の中央付近にある。また、外側開口部２７９に対して下皿３４の球入口３４ａは下方にある。これら外側開口部２７９と下皿３４の球入口３４ａとを繋ぐように、通路形成部２７６が形成されており前扉側下皿通路部２７３は斜め下方に延びている。
【０１８１】
通路形成部２７６には、図１７に示すように、前扉側下皿通路部２７３の下流側となる位置に対応させて満杯検知センサ２８０が設けられている。満杯検知センサ２８０は、磁気検知タイプの近接センサにて構成されており、検知範囲内を遊技球が通過する際の磁界の変化が検知されて電気信号として出力される。この電気信号は主制御装置１６２に対して出力される。主制御装置１６２は後述する払出停止処理にて、払出装置２２４による遊技球の払い出しを停止する。これにより、下皿３４が満杯状態となった場合には、それ以上の遊技球の払い出しが停止される。
【０１８２】
前扉側下皿通路部２７３における満杯検知センサ２８０よりも上流側の通路長は、下皿３４が満杯状態となった際に受口部２７５における外側開口部２７９よりも上流側まで遊技球が待機しないように設定されている。つまり、所定の払出速度で遊技球の払い出しを行っている払出装置２２４が払出停止された際には、既に払出装置２２４から払い出され下皿３４に向けて流下している遊技球が存在し得る。この場合に、その既に流下している遊技球として想定される最大数の遊技球が前扉側下皿通路部２７３にて満杯検知センサ２８０よりも上流側に並んだとしても、かかる遊技球が受口部２７５における外側開口部２７９を超えた位置まで並ばないようになっている。
【０１８３】
また、前扉側通路ユニット２７１には、通路形成部２７６における受口部２７５側とは反対側の端部にファール球収容部２８１が一体形成されている。ファール球収容部２８１は上方に開放させて形成されており、前扉枠１４を本体枠１３に閉鎖した状態においてはファール球収容部２８１が遊技球発射機構１１０の発射レール１１２と遊技盤８１に取り付けられた内，外レール部１０１，１０２との間に配設されている。したがって、遊技球発射機構１１０から発射されたが遊技領域まで至らず内，外レール部１０１，１０２によって構成される誘導レールを逆流してくるファール球はファール球収容部２８１内に入る。ファール球収容部２８１には前扉側下皿通路部２７３に通じるファール球通路２８１ａが形成されており、ファール球は下皿３４に排出される。
【０１８４】
上皿３３及び下皿３４への遊技球の流れについて説明すると、図１５に示すように払出装置２２４からは遊技球振分部２５２における内側の開口部２５５ａに向けて遊技球が払い出される。よって、払出装置２２４から払い出された遊技球は各上皿通路部２５８，２６２，２７２によって構成される上皿通路を通って上皿３３に排出される。
【０１８５】
但し、払出装置２２４から多数の遊技球が払い出され上皿３３が満杯状態となり、さらにその後も遊技球の払い出しが継続されると、上皿通路にて遊技球が連なり、図１５に示すように、遊技球振分部２５２における内側の開口部２５５ａの全体に遊技球が充たされることとなる。かかる状態において払出装置２２４から払い出された遊技球は遊技球振分部２５２における内側の仕切壁２５３ａを乗り越え中央の開口部２５５ｂ内に入る。そして、この遊技球は各下皿通路部２５９，２６３，２７３によって構成される下皿通路を通って下皿３４に排出される。
【０１８６】
その後、さらに遊技球の払い出しが継続され下皿３４が満杯状態となると、下皿通路における前扉側下皿通路部２７３にて遊技球が連なり、満杯検知センサ２８０の検知範囲において遊技球が待機することとなる。この場合、満杯検知センサ２８０から主制御装置１６２に対して遊技球の検知信号が出力され、その検知信号に基づいて主制御装置１６２において下皿３４が満杯状態であることが認識され払出制御装置２４２を介して払出装置２２４による遊技球の払い出しが停止される。かかる払い出しの停止は、下皿３４の満杯状態が解除され満杯検知センサ２８０にて遊技球が検知されなくなることにより解除される。
【０１８７】
ここで、本実施の形態では上述したように前扉枠１４に対して前扉側通路ユニット２７１が設けられている。また、前扉枠１４には上述したように窓部２１が形成されており、例えば遊技領域にて球詰まり等が発生しそれを解消するために前扉枠１４を開放すると、それに合わせて前扉側通路ユニット２７１が前方に移動し、前扉枠１４側の各通路部２７２，２７３と本体枠１３側の各通路部２６２，２６３とが離れる。そして、この前扉枠１４の開放操作が、上皿３３が満杯状態であり本体側上皿通路部２６２にて遊技球が待機されている状態において行われると、その待機されている遊技球が前扉側上皿通路部２７２にて受けられなくなり散乱してしまうおそれがある。これに対して、この遊技球の散乱を防止するためにシャッター機構２９１が設けられている。
【０１８８】
シャッター機構２９１について以下に説明する。図１９はシャッター機構２９１の分解斜視図、図２０（ａ）はシャッター機構２９１を構成するシャッター部材２９３の斜視図、図２０（ｂ）は図２０（ａ）のＡ―Ａ線断面図、図２１及び図２２はシャッター機構２９１の動きを説明するための説明図である。
【０１８９】
シャッター機構２９１は本体枠１３の前面側に設けられている。詳細には、樹脂ベース７１における本体側通路ユニット２６１の下方には取付部２９２が形成されており、この取付部２９２に対してシャッター機構２９１が取り付けられている。シャッター機構２９１は、シャッター部材２９３と、コイルバネ２９４と、ストッパ２９５とから構成されている。
【０１９０】
シャッター部材２９３は合成樹脂により略板状に形成されている。シャッター部材２９３の下端には左右方向に貫通させて軸孔２９３ａが形成されており、取付部２９２にはこの軸孔２９３ａと同一軸線上に軸孔を有する支軸部２９２ａが形成されている。シャッター部材２９３の軸孔２９３ａ及び支軸部２９２ａの軸孔に支軸ピン２９６が挿通固定されていることにより、シャッター部材２９３は取付部２９２に対して下端を軸線として前後方向に回動可能に支持されている。
【０１９１】
シャッター部材２９３の上端には、一方の端部（本実施の形態では、左側の端部）から側方に延出させて延出部２９７が形成されており、当該延出部２９７の前方となるようにしてストッパ２９５が設けられている。ストッパ２９５は合成樹脂により成形されており、取付部２９２に固定されている。また、ストッパ２９５には、シャッター用ストッパ２９５ａと当該シャッター用ストッパ２９５ａよりも下方にあり前方に張り出したバネ用ストッパ２９５ｂとが形成されている。
【０１９２】
ストッパ２９５と延出部２９７との間にはコイルバネ２９４が設けられている。コイルバネ２９４は、一端がストッパ２９５のバネ用ストッパ２９５ｂに固定され他端が延出部２９７の下端に固定されており、伸張状態で設けられている。したがって、シャッター部材２９３には前方へ向けた付勢力が常に作用しており、シャッター部材２９３の自然状態では延出部２９７がシャッター用ストッパ２９５ａに当接した位置にある。この当接した位置では、シャッター部材２９３の上端部２９８が本体側通路ユニット２６１の下方にある。
【０１９３】
シャッター部材２９３の上端部２９８は、その前後方向寸法が本体側上皿通路部２６２及び本体側下皿通路部２６３の球出口２６２ａ，２６３ａの前後方向寸法と略同一となっており、さらに左右方向寸法が本体側通路ユニット２６１の左右方向寸法と略同一となっている。そして、上端部２９８は、本体側上皿通路部２６２及び本体側下皿通路部２６３の球出口２６２ａ，２６３ａの略全体と対峙している。つまり、本体側上皿通路部２６２及び本体側下皿通路部２６３の球出口２６２ａ，２６３ａがシャッター部材２９３によって閉鎖されている。この位置がシャッター部材２９３の閉鎖位置（阻止位置）である。
【０１９４】
取付部２９２におけるシャッター部材２９３の後方には、後方へ凹んだ収容凹部２９２ｂが形成されている。また、シャッター部材２９３はその前側端面２９９が、前扉枠１４を閉鎖した際に前扉側通路ユニット２７１の受口部２７５と当接する位置にあり、上述したとおり前扉枠１４を閉鎖した際には受口部２７５は本体側通路ユニット２６１の下方に配置される。したがって、前扉枠１４が閉鎖されている状態においては、受口部２７５の後方端部がシャッター部材２９３の前側端面２９９に当接しシャッター部材２９３に対して上記付勢力に抗する力が作用することで、当該シャッター部材２９３は後方に回動し収容凹部２９２ｂに収容されている。この位置がシャッター部材２９３の開放位置（阻止解除位置）である。
【０１９５】
前扉枠１４の開放操作に対するシャッター部材２９３の動きについて説明すると、図２１（ａ）及び図２２（ａ）に示すように、前扉枠１４が閉鎖されている状態においてはシャッター部材２９３は開放位置にあり、本体側上皿通路部２６２と前扉側上皿通路部２７２とが連通し、本体側下皿通路部２６３と前扉側下皿通路部２７３とが連通している。また、図２１（ｂ）及び図２２（ｃ）に示すように、前扉枠１４が開放されるとシャッター部材２９３は閉鎖位置に移動する。これにより、本体側上皿通路部２６２及び本体側下皿通路部２６３の各球出口２６２ａ，２６３ａが閉鎖され、本体側上皿通路部２６２に遊技球が待機されている状態において前扉枠１４が開放されたとしてもその待機されている遊技球が散乱しないようになっている。その後、前扉枠１４を閉鎖すると、図２１（ａ）及び図２２（ａ）の状態に戻る。
【０１９６】
この場合に、上記のとおり本体側上皿通路部２６２は球出口２６２ａに向けて下り傾斜となっている。よって、本体側上皿通路部２６２に待機されている遊技球の重量負荷は、その一部が本体側上皿通路部２６２の底部２６２ｂにて受けられる。つまり、それら待機されている遊技球のシャッター部材２９３に対する重量負荷が低減されている。よって、シャッター部材２９３の開閉動作の円滑化を図ることができる。
【０１９７】
また、シャッター部材２９３の前側端面２９９において受口部２７５が当接する位置はパチンコ機１０内側の端部２９９ａ（以下、当該端部２９９ａを当接部２９９ａという）であり、シャッター部材２９３の前側端面２９９において当接部２９９ａよりもパチンコ機１０外側は当接部２９９ａに対して後方に凹んだ逃げ部２９９ｂとなっている。この逃げ部２９９ｂは、シャッター部材２９３が閉鎖位置にある場合において受口部２７５における外側開口部２７９側の端部の回動範囲外を通るようにして形成されている。つまり、シャッター部材２９３は受口部２７５における内側開口部２７８側と当接することにより、閉鎖位置から開放位置に回動する。したがって、シャッター部材２９３は前扉枠１４の開閉に際して内側開口部２７８に追従するようにして回動する。そして、前扉枠１４の開放に際しては、図２１（ｃ）に示すように、内側開口部２７８の全体が本体側上皿通路部２６２の球出口と対峙しなくなった段階でシャッター部材２９３は閉鎖位置に配置され、本体側上皿通路部２６２の球出口２６２ａが完全に閉鎖される。
【０１９８】
次に、前扉枠１４の開放操作に際しての上皿通路における球詰まり抑制構造について説明する。図２３及び図２４は球詰まり抑制構造を説明するための説明図である。
【０１９９】
上述したように前扉枠１４の開放に際しては本体側上皿通路部２６２と前扉側上皿通路部２７２とが離され、本体側下皿通路部２６３と前扉側下皿通路部２７３とが離される。この場合に、前扉側上皿通路部２７２と本体側上皿通路部２６２との境界部分に遊技球が存在すると、その遊技球が前扉側通路ユニット２７１と本体側通路ユニット２６１とのそれぞれに当接し、球詰まりが発生することで前扉枠１４の開放操作を円滑に行えないおそれがある。これに対して、球詰まり抑制構造が設けられている。この球詰まり抑制構造としては、第１抑制構造と、第２抑制構造とが設けられている。
【０２００】
先ず、第１抑制構造について説明する。前扉枠１４を閉鎖した状態においては受口部２７５の内側開口部２７８と本体側通路ユニット２６１の球出口２６２ａとが対峙している（なお、図２３においては上皿通路側のみを示すが下皿通路側も同様である）。かかる構成において、内側開口部２７８における上方に開放された部位の上縁と本体側通路ユニット２６１の下縁とが上下方向に離れている。つまり、前扉側上皿通路部２７２の球入口と本体側上皿通路部２６２の球出口２６２ａとが上下方向に離間されており、この離間された距離はＸ１となっている。
【０２０１】
また、本体側通路ユニット２６１の球出口２６２ａ付近において、図２３に示すように手前側通路壁２６５はその下端が仕切用通路壁２６４の下端よりも上方となるように形成されており、さらに図２４に示すように右側通路壁２６６（本体枠１３の回動先端側の通路壁）もその下端が仕切用通路壁２６４の下端よりも上方となるように形成されており、これらの上下方向に離れた距離はＸ２となっている。
【０２０２】
以上のように、内側開口部２７８における上方に開放された部位の上縁と本体側通路ユニット２６１の手前側通路壁２６５及び右側通路壁２６６との間には所定の間隔（Ｘ１＋Ｘ２）の隙間が存在するため、前扉枠１４の開放開始に際して前扉側上皿通路部２７２と本体側上皿通路部２６２との境界部分（図２３におけるＢ１の位置）に遊技球があったとしても、その遊技球が本体側通路ユニット２６１の手前側通路２６５及び右側通路壁２６６に当たりづらくなっている。よって、球詰まりの発生が抑制され前扉枠１４の開放操作を円滑に行うことが可能となる。但し、上記隙間の間隔（Ｘ１＋Ｘ２）と遊技球の直径Ｒとは（Ｘ１＋Ｘ２）＜Ｒの関係にあり、上皿通路を流下する遊技球が受口部２７５と本体側通路ユニット２６１との間から上皿通路の外部に流出してしまうことが防止されている。
【０２０３】
次に、第２抑制構造について説明する。上述したように受口部２７５は前扉枠１４の背面よりも後方に突出させて形成されており、図２２に示すように受口部２７５は前扉枠１４の回動軸２８２よりも後方にある。したがって、前扉枠１４の開放に際しての外側開口部２７９の回動範囲には、図２２（ｂ）及び図２２（ｃ）に示すように、本体側上皿通路部２６２の下方領域の一部が含まれる。また、図２２（ｂ）に示すように、前扉枠１４の開放におけるその途中位置においては、内側開口部２７８及び外側開口部２７９のそれぞれの一部が本体側上皿通路部２６２の下方に位置することとなる。そして、この状態では内側開口部２７８にある遊技球が、受口部２７５の仕切壁２７７よりも上方の領域を通って外側開口部２７９へ移動することが可能となる。
【０２０４】
また、図１６及び図２３に示すように、受口部２７５の仕切壁２７７にはその上端から下方に凹ませて凹部２８３が形成されている。凹部２８３は仕切壁２７７の左右方向の途中位置から後側端部にかけて形成されており、その前後方向寸法Ｘ３は遊技球の直径Ｒよりも大きくなっている（Ｘ３＞Ｒ）。
【０２０５】
以上のように、受口部２７５の外側開口部２７９の回動範囲が設定されており、さらに受口部２７５の仕切壁２７７に凹部２８３が形成されていることにより、前扉枠１４の開放開始に際して前扉側上皿通路部２７２と本体側上皿通路部２６２との境界部分であって本体側上皿通路部２６２寄りの位置（図２３におけるＢ２の位置）に遊技球があったとしても、その遊技球が凹部２８３を横切って内側開口部２７８側から外側開口部２７９側に退避され得る。よって、球詰まりの発生が抑制され前扉枠１４の開放操作を円滑に行うことが可能となる。但し、凹部２８３の深さ寸法はＸ４となっており、凹部２８３の底２８３ａと本体側通路ユニット２６１の仕切用通路壁２６４の下端との間の間隔（Ｘ１＋Ｘ４）は遊技球の直径Ｒよりも小さくなっている（（Ｘ１＋Ｘ４）＜Ｒ）。したがって、仕切壁２７７に凹部２８３を形成した構成において、前扉枠１４を閉鎖した状態においては内側開口部２７８にある遊技球が外側開口部２７９に移動してしまうことが防止されている。
【０２０６】
次に、前扉枠１４の開放操作に際しての球受け構造について説明する。
【０２０７】
前扉枠１４の開閉は上皿３３が満杯状態において行われることがある。この場合に、受口部２７５の内側開口部２７８が遊技球で満たされている状態で前扉枠１４が開閉されると、その開閉の際の振動等によって内側開口部２７８から遊技球が零れ落ちてしまうおそれがある。これに対して、その零れ球に対する球受け構造が設けられている。
【０２０８】
この球受け構造は前扉側通路ユニット２７１に設けられている。つまり、前扉側通路ユニット２７１は上述したように前扉側下皿通路部２７３を構成する通路形成部２７６を備えている。通路形成部２７６は前扉枠１４の回動基端側にある受口部２７５の外側開口部２７９から前扉枠１４の左右方向の中央付近にある下皿３４の球入口３４ａに向けて斜め下方に延びている。
【０２０９】
通路形成部２７６についてより詳細には、図１７に示すように、通路形成部２７６はその左右方向の中央付近にて段差状となっており、上下方向に延びる段差領域２８４よりも上流側の上流領域２８５と下流側の下流領域２８６とは前扉枠１４の回動先端側に向けて緩やかに下り傾斜となっている。
【０２１０】
上流領域２８５は受口部２７５における内側開口部２７８の下方を通っており、図１８に示すように平面視で内側開口部２７８と上流領域２８５の上壁２８７とは左右に並んでいる。つまり、上壁２８７が内側開口部２７８の下方の位置から前扉枠１４の回動先端側に延びていると言える。上壁２８７は上流領域２８５に合わせて前扉枠１４の回動先端側に向けて緩やかに下り傾斜となっている。
【０２１１】
上壁２８７の後側端部には、上面２８７ａから上方に起立させて左右方向に延びる突条部２８８が一体形成されている。また、上述したように前扉側通路ユニット２７１は前扉枠１４の背面に取り付けられており、通路形成部２７６の手前側端面は前扉枠１４の背面に当接している。このように通路形成部２７６の手前側端面が前扉枠１４の背面に当接していることにより、上壁２８７は前扉枠１４の背面に対して連続的となっている。
【０２１２】
上述したように通路形成部２７６における受口部２７５側とは反対側の端部にはファール球収容部２８１が一体形成されている。かかる構成においてファール球収容部２８１の開放部２８１ｂの上縁は上壁２８７の上面２８７ａよりも低位となっている。
【０２１３】
以上のように前扉側通路ユニット２７１が形成されていることにより、通路形成部２７６における上壁２８７の上面２８７ａには突条部２８８と前扉枠１４の背面との間に球受け通路２８９が形成されている。球受け通路２８９は受口部２７５における内側開口部２７８の下方から前扉枠１４の回動先端側に向けて延びており、平面視で内側開口部２７８と左右に並んでいる。また、球受け通路２８９はファール球通路２８１ａに通じており、上述したようにファール球通路２８１ａは前扉側下皿通路部２７３に通じている。したがって、図１７の二点鎖線で示すように、前扉枠１４の開閉の際の振動等によって内側開口部２７８から遊技球が零れ落ちたとしても、その遊技球は球受け通路２８９によって受けられる。この受けられた遊技球は球受け通路２８９を流下することでファール球通路２８１ａに導入され、最終的に下皿３４に排出される。これにより、零れ球を遊技ホールなどに散乱させることなく下皿３４に排出することができる。
【０２１４】
特に、零れ球は、前扉枠１４の回動に際しての遠心力により、内側開口部２７８から前扉枠１４の回動先端側に落下するものと考えられる。この場合に、上記のとおり球受け通路２８９が内側開口部２７８の下方から回動先端側に延びるようにして設けられていることにより、球受け通路２８９において零れ球を受け易くなる。また、仮に内側開口部２７８から前扉枠１４の回動基端側に遊技球が落下したとしても、その零れ球は外側開口部２７９にて受けられる。
【０２１５】
次に、パチンコ機１０の電気的構成について、図２５のブロック図に基づいて説明する。図２５では、電力の供給ラインを二重線矢印で示し、信号ラインを実線矢印で示す。
【０２１６】
主制御装置１６２に設けられた主制御基板３０１には、主制御回路３０２と停電監視回路３０３とが内蔵されている。主制御回路３０２には、ＣＰＵ３１１が搭載されている。ＣＰＵ３１１には、当該ＣＰＵ３１１により実行される各種の制御プログラムや固定値データを記憶したＲＯＭ３１２と、そのＲＯＭ３１２内に記憶される制御プログラムの実行に際して各種のデータ等を一時的に記憶するためのメモリであるＲＡＭ３１３と、割込回路やタイマ回路、データ入出力回路などの各種回路が内蔵されている。
【０２１７】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０２１８】
ＣＰＵ３１１には、アドレスバス及びデータバスで構成されるバスラインを介して入出力ポートが接続されている。主制御回路３０２の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、主制御回路３０２には停電監視回路３０３を介して電力が供給される。
【０２１９】
一方、主制御回路３０２の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０２２０】
停電監視回路３０３は、主制御回路３０２と電源及び発射制御基板３２１とを中継し、また電源及び発射制御基板３２１から出力される最大電源である直流安定２４ボルトの電源を監視する。
【０２２１】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０２２２】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０２２３】
払出制御基板３２２のＣＰＵ３３１には、アドレスバス及びデータバスで構成されるバスラインを介して入出力ポートが接続されている。払出制御基板３２２の入力側には、主制御回路３０２、電源及び発射制御基板３２１、及び裏パック基板２２９が接続されている。また、払出制御基板３２２の出力側には、主制御回路３０２及び裏パック基板２２９が接続されている。
【０２２４】
電源及び発射制御基板３２１は、電源部と発射制御部とを備えている。電源部は、二重線矢印で示す経路を通じて、主制御回路３０２や払出制御基板３２２等に対して各々に必要な動作電力を供給する。発射制御部は、遊技者による遊技球発射ハンドル４１の操作にしたがって遊技球発射機構１１０の発射制御を担うものであり、遊技球発射機構１１０は所定の発射条件が整っている場合に駆動される。
【０２２５】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０２２６】
音声ランプ制御基板３２４のＣＰＵ３４１にはアドレスバス及びデータバスで構成されるバスラインを介して入出力ポートが接続されている。音声ランプ制御基板３２４の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０２２７】
次に、遊技球の払い出しに関する電気的構成について、図２６のブロック図に基づいて説明する。
【０２２８】
主制御基板３０１の入力側には、遊技球の検知スイッチである入賞口スイッチ１５２、カウントスイッチ１５３、及び作動口スイッチ１５４が接続されている。入賞口スイッチ１５２は一般入賞口８２に入った遊技球を検知し、カウントスイッチ１５３は可変入賞装置８３に入った遊技球を検知し、作動口スイッチ１５４は作動口８４に入った遊技球を検知する。
【０２２９】
主制御基板３０１は、上記各スイッチ１５２，１５３，１５４から検知信号を入力した場合には、その検知信号を入力したスイッチ１５２，１５３，１５４に対応した賞球コマンドを払出制御基板３２２に出力する。
【０２３０】
払出制御基板３２２は、主制御基板３０１から賞球コマンドを入力することにより、その賞球コマンドに含まれる賞球情報に応じた数の遊技球の払い出しを実行するよう払出装置２２４を駆動制御する。これにより、賞球の払い出しが実行される。
【０２３１】
以上のように主制御基板３０１からの賞球コマンドに基づいて遊技球の払い出しが実行される一方、主制御基板３０１からの払出停止コマンドに基づいて遊技球の払い出しが停止される。かかる構成について説明すると、主制御基板３０１の入力側には、前扉枠１４が本体枠１３に対して開放されたことを検知する前扉開放スイッチ７８、及び下皿３４が満杯状態となったことを検知する満杯検知センサ２８０が接続されている。
【０２３２】
主制御基板３０１は、前扉開放スイッチ７８又は満杯検知センサ２８０から検知信号を入力した場合には、その入力に基づいて払出停止コマンドを払出制御基板３２２に出力する。つまり、前扉枠１４が開放された場合、及び下皿３４が満杯状態となった場合に、払出停止コマンドを出力する。
【０２３３】
払出制御基板３２２は、主制御基板３０１から払出停止コマンドを入力することにより、遊技球の払い出しを行っている途中であったとしても当該払い出しを停止するよう払出装置２２４を停止制御する。これにより、前扉枠１４が開放されたにも関わらず遊技球の払い出しが継続されることが防止され、また下皿３４が満杯状態であるにも関わらず遊技球の払い出しが継続されることが防止される。
【０２３４】
次に、主制御基板３０１のＣＰＵ３１１により実行される払出停止処理を図２７のフローチャートを参照しながら説明する。
【０２３５】
払出停止処理では、先ずステップＳ１１にてＲＡＭ３１３に設けられた払出停止中フラグ格納エリアに払出停止中フラグがセットされているか否かを判定する。かかる払出停止中フラグは、払出制御基板３２２に対して払出停止コマンドを出力することによりセットされ、払出制御基板３２２に対して停止解除コマンドを出力することによりクリアされるフラグである。
【０２３６】
払出停止中フラグがセットされていない場合には、ステップＳ１１にて否定判定をし、ステップＳ１２〜ステップＳ１４の払出停止設定処理を実行する。当該払出停止設定処理では、ステップＳ１２にて前扉開放スイッチ７８から検知信号を入力しているか否かを判定し、ステップＳ１３にて満杯検知センサ２８０から検知信号を入力しているか否かを判定する。前扉開放スイッチ７８及び満杯検知センサ２８０のいずれからも検知信号を入力していない場合には、ステップＳ１２及びステップＳ１３の双方にて否定判定をし、そのまま本処理を終了する。
【０２３７】
前扉開放スイッチ７８又は満杯検知センサ２８０のいずれかから検知信号を入力していた場合には、ステップＳ１２又はステップＳ１３のいずれかで肯定判定をし、ステップＳ１４に進む。なお、満杯検知センサ２８０から検知信号を入力している場合には、その入力により即座に肯定判定をするのではなく、所定期間に亘って検知信号を入力した場合に肯定判定をする。下皿３４が満杯状態でない場合において前扉側下皿通路部２７３を通過する遊技球により満杯検知センサ２８０がＯＮされてしまうからである。
【０２３８】
ステップＳ１４では、払出制御基板３２２に対して払出停止コマンドを出力するとともに、払出停止中フラグをセットする。その後、本処理を終了する。払出制御基板３２２においては、当該払出停止コマンドを入力することにより払出装置２２４を停止制御する。また、主制御基板３０１から後述する停止解除コマンドを入力する前に、当該主制御基板３０１から賞球コマンドを入力したとしても、払出装置２２４の駆動制御を開始しない。
【０２３９】
一方、払出停止中フラグがセットされている場合には、ステップＳ１１にて肯定判定をし、ステップＳ１５及びステップＳ１６の払出停止解除処理を実行する。当該払出停止解除処理では、ステップＳ１５にて前扉開放スイッチ７８及び満杯検知センサ２８０のいずれからも検知信号を入力していないか否かを判定し、いずれかから検知信号を入力している場合には否定判定をし、そのまま本処理を終了する。
【０２４０】
前扉開放スイッチ７８及び満杯検知センサ２８０のいずれからも検知信号を入力していない場合には肯定判定をし、ステップＳ１６に進む。ステップＳ１６では、払出制御基板３２２に対して停止解除コマンドを出力するとともに、払出停止中フラグをクリアする。その後、本処理を終了する。払出制御基板３２２においては、当該停止解除コマンドを入力することにより、賞球が残っている場合には払出装置２２４の駆動制御を開始する。
【０２４１】
以上詳述した本実施の形態によれば、以下の優れた効果を奏する。
【０２４２】
前扉枠１４に窓部２１、上皿３３、及び下皿３４を設けユニット化した。従来のパチンコ機においては、少なくとも窓部と下皿とがそれぞれ別ユニットとして設けられており、窓部が下皿に対して独立して回動可能となっていたため、パチンコ機の前面部には上記各ユニット間に境界が生じていた。この場合、当該境界から不正用治具などを挿入して行う不正行為が想定される。また、かかる不正行為を抑制すべく各ユニット間の境界に対して不正抑制構造を設けることもできるが、そうすると構成の複雑化を招いてしまう。さらに、パチンコ機の前面部において境界が生じるのは、デザイン上好ましくない。これに対して、上記のとおり前扉枠１４に窓部２１、上皿３３、及び下皿３４が設けられているので、窓部２１と下皿３４との間に境界が生じることはなく、上記不都合が抑制される。
【０２４３】
この場合に、前扉枠１４には、前扉側上皿通路部２７２と前扉側下皿通路部２７３とが形成された前扉側通路ユニット２７１を設け、さらに前扉枠１４が開放された場合に本体側上皿通路部２６２及び本体側下皿通路部２６３の遊技球の通過を阻止するシャッター部材２９３を設けた。これにより、上記のように前扉枠１４に窓部２１、上皿３３、及び下皿３４を設けた構成において、上皿３３や下皿３４が満杯状態である場合に前扉枠１４の開放を行う必要が生じたとしても、その開放操作に際して上皿３３や下皿３４に貯留された遊技球や上皿３３や下皿３４に向けて待機された遊技球がパチンコ機１０の外部へ流出してしまうことを抑制することができる。
【０２４４】
特に、本構成においては、本体枠１３を前後方向に貫通しないように前扉側通路ユニット２７１を形成した。かかる構成とすることにより、前扉側通路ユニット２７１における前扉枠１４の後方への突出量が抑えられ、前扉側通路ユニット２７１を極力コンパクトなものとすることができる。本体枠１３を貫通させるようにして前扉側通路ユニット２７１を形成する構成を想定すると、前扉枠１４の開放操作に際しての前扉側通路ユニット２７１の回動範囲を確保するようにして本体枠１３に貫通孔などを形成する必要が生じる。この場合、本体枠１３の設計の自由度が低下するとともに、比較的大きな貫通孔を形成することに伴って本体枠１３の強度低下を招くこととなる。また、前扉側通路ユニット２７１における前扉枠１４の後方への突出量が大きくなり、前扉枠１４の開閉操作を良好に行えなくなるおそれがある。これに対して、本構成によれば、かかる不都合の発生を抑制することができる。
【０２４５】
前扉側上皿通路部２７２及び前扉側下皿通路部２７３の球入口が形成された受口部２７５を上方に開放させて形成した。これにより、前扉枠１４を開閉した際に受口部２７５にある遊技球が零れにくくなり、前扉枠１４の開閉操作を良好に行うことができる。
【０２４６】
本体側上皿通路部２６２及び本体側下皿通路部２６３の球出口２６２ａ，２６３ａに対してシャッター部材２９３を出没させた。これにより、前扉枠１４が開放される場合には本体側上皿通路部２６２及び本体側下皿通路部２６３の最下流部にて遊技球の通過が阻止される。よって、前扉枠１４の開放に際して本体側上皿通路部２６２及び本体側下皿通路部２６３から遊技球が零れてしまうことを抑制することができる。
【０２４７】
本体側上皿通路部２６２を、球出口２６２ａに向けて下り傾斜となるように形成した。これにより、本体側上皿通路部２６２においてその球出口２６２ａ付近に待機する遊技球はその負荷の少なくとも一部が底部２６２ｂにて受けられる。よって、シャッター部材２９３にかかる負荷を低減することが可能となり、シャッター部材２９３の開閉操作の円滑化を図ることができる。
【０２４８】
シャッター部材２９３は前扉側通路ユニット２７１の受口部２７５に後方に押されることで本体側上皿通路部２６２及び本体側下皿通路部２６３の遊技球の通過を可能とし、前扉枠１４が開放された場合にはコイルバネ２９４の付勢力によりシャッター部材２９３が回動し遊技球の通過を阻止するようにした。かかる構成とすることにより、前扉側通路ユニット２７１とシャッター部材２９３との間にリンク機構などを設ける構成や、シャッター部材２９３の駆動手段を設ける構成に比べ、構成の簡素化を図ることができる。また、前扉側通路ユニット２７１の受口部２７５によりシャッター部材２９３を直接押すため、前扉枠１４の開閉に対するシャッター部材２９３の連動を良好なものとすることができる。
【０２４９】
また、前扉側上皿通路部２７２及び前扉側下皿通路部２７３の球入口が形成された受口部２７５によりシャッター部材２９３を押すようにしたため、受口部２７５は各球入口を形成する機能と、シャッター部材２９３を後方に押す機能とを併せ持つこととなる。これにより、それぞれの機能を別体で設ける構成に比べ、構成の簡素化を図ることができる。
【０２５０】
前扉側上皿通路部２７２の球入口が回動先端側となるように受口部２７５を形成した構成において、シャッター部材２９３の前側端面２９９に逃げ部２９９ｂを形成することで、受口部２７５における回動基端側がシャッター部材２９３に当接しないようにした。これにより、前扉側上皿通路部２７２の球入口に追従するようにシャッター部材２９３が閉鎖位置に移動することとなる。前扉側下皿通路部２７３に満杯検知センサ２８０を設けた構成においては、前扉側下皿通路部２７３と本体側下皿通路部２６３との境界部分を越えて遊技球が待機することはない。これに対して、下皿３４に遊技球が払い出されている状態では前扉側上皿通路部２７３と本体側上皿通路部２６２との境界部分を越えて遊技球が待機することとなる。したがって、前扉枠１４の開放に際しては本体側上皿通路部２６２の遊技球の通過を確実に阻止する必要がある。この場合に、上記のとおり、前扉側上皿通路部２７２の球入口に追従するようにシャッター部材２９３が閉鎖位置に移動するため、本体側上皿通路部２６２の遊技球の通過を確実に阻止することができる。
【０２５１】
本体枠１３を前後方向に貫通しないように前扉側通路ユニット２７１を設けた構成において、遊技球振分部２５２を本体枠１３の後側に設けた。これにより、上皿３３に対する遊技球振分部２５２の距離を極力大きく確保することができる。上皿３３と遊技球振分部２５２との間に設けられる前扉側上皿通路部２７２及び本体側上皿通路部２６２は上皿３３に払い出される遊技球の待機通路を構成するものであり、これらの通路の通路長を極力大きく確保できれば上皿３３における遊技球の貯留容量を実質的に大きく確保することができる。
【０２５２】
特に、上皿３３は貯留している遊技球を遊技球発射機構１１０に誘導する機能を有しているのに対して、下皿３４はかかる機能を有していない。よって、遊技を行うためには上皿３３に遊技球を補充する必要がある。かかる事情において上記のとおり上皿３３における遊技球の貯留容量を実質的に大きく確保することで、単に遊技球の貯留容量を大きく確保することができるだけでなく、遊技球発射機構１１０に向けた待機球の容量を大きく確保することができる。
【０２５３】
前扉側下皿通路部２７３に対して満杯検知センサ２８０を設け、下皿３４が満杯状態となった場合には前扉側下皿通路部２７３よりも上流側まで遊技球が待機しない範囲で払出装置２２４による遊技球の払い出しを制限するようにした。つまり、上皿３３と下皿３４との両方が満杯状態であったとしても、前扉側下皿通路部２７３と本体側下皿通路部２６３との境界部分に遊技球が待機しない。これにより、上皿３３と下皿３４との両方が満杯状態において前扉枠１４を開放する場合に、シャッター部材２９３に掛かる負荷を低減することが可能となる。
【０２５４】
前扉開放スイッチ７８を設け、前扉枠１４が開放された場合には、払出装置２２４による遊技球の払い出しを制限するようにした。これにより、前扉枠１４が開放されたにも関わらず遊技球の払い出しが継続されることを抑制することができる。
【０２５５】
前扉側上皿通路部２７２の球入口（内側開口部２７８）と本体側上皿通路部２６２の球出口２６２とを上下方向に離間させた。これにより、前扉枠１４の開放に際して前扉側上皿通路部２７２の球入口から上方に突出した遊技球があったとしてもその遊技球が本体側上皿通路部２６２の通路壁に当たりづらくなる。よって、前扉枠１４の開放を良好に行うことができる。
【０２５６】
本体側通路ユニット２６１における手前側通路壁２６５の下端、及び前扉枠１４の回動先端側となる本体側通路ユニット２６１における右側通路壁２６６の下端を、本体側通路ユニット２６１の他の通路壁の下端に対して上方となるように構成した。これにより、前扉枠１４の開放に際して前扉側上皿通路部２７２の球入口から上方に突出した遊技球があったとしてもその遊技球が本体側上皿通路部２６２の通路壁に当たりづらくなる。よって、前扉枠１４の開放を良好に行うことができる。
【０２５７】
前扉側下皿通路部２７３の球入口が前扉側上皿通路部２７２の球入口に対して前扉枠１４の回動基端側となるように受口部２７５を形成した。また、前扉枠１４の開放に際して本体側上皿通路部２６２の球出口２６２ａの下方を前扉側下皿通路部２７３の球入口が通過するように前扉枠１４の回動軸を設定した。さらに、受口部２７５の仕切壁２７７には前扉枠１４の開放に際して前扉側上皿通路部２７２の球入口側から前扉側下皿通路部２７３の球入口側への遊技球の移動を許容する凹部２８３を形成した。これにより、前扉側下皿通路部２７３の球入口が球退避部として機能し、前扉枠１４の開放に際して前扉側上皿通路部２７２と本体側上皿通路部２６２との境界部分に遊技球があったとしてもその遊技球が前扉側下皿通路部２７３の球入口に退避され、その遊技球が本体側上皿通路部２６２の通路壁に当たりづらくなる。よって、前扉枠１４の開放を良好に行うことができる。また、本構成によれば、前扉側下皿通路部２７３の球入口が球退避部としての機能を兼用することとなるため、構成の簡素化を図ることができ、さらには退避した遊技球は自ずと下皿３４に排出されることとなる。
【０２５８】
前扉枠１４を閉鎖した状態では凹部２８３の底２８３ａと本体側通路ユニット２６１の仕切用通路壁２６４との間の距離を遊技球１個分未満とした。これにより、受口部２７５の仕切壁２７７に凹部２８３を形成した構成において、本体側上皿通路部２６２を通過した遊技球は前扉側上皿通路部２７２に確実に導かれ、本体側下皿通路部２６３を通過した遊技球は前扉側下皿通路部２７３に確実に導かれる。
【０２５９】
前扉側通路ユニット２７１の通路形成部２７６における上流領域２８５の上壁２８７に球受け通路２８９を形成した。これにより、前扉枠１４の開閉に伴う振動等により前扉側上皿通路部２７２の球入口にある遊技球がそこから零れたとしても、その零れ球を受けることができる。
【０２６０】
また、通路形成部２７６は前扉側下皿通路部２７３の通路壁を構成するものであるため、この通路形成部２７６に球受け通路２８９を設けることで前扉側下皿通路部２７３の通路壁の構成を有効利用することができる。よって、構成の簡素化を図ることができる。
【０２６１】
球受け通路２８９を前扉側上皿通路部２７２の球入口の下方を通り、前扉枠１４の回動先端側に向けて延びるように設けた。前扉枠１４を開閉した場合にはその遠心力により、前扉側上皿通路部２７２の球入口から前扉枠１４の回動先端側に遊技球が零れ易いと考えられる。これに対して、上記のように球受け通路２８９を形成したため、当該球受け通路２８９における零れ球の受けを良好に行うことができる。
【０２６２】
また、前扉側上皿通路部２７２の球入口の回動基端側には前扉側下皿通路部２７３の球入口がある。よって、前扉側上皿通路部２７２の球入口から回動基端側に遊技球が零れたとしても、その零れ球は前扉側下皿通路部２７３の球入口にて受けられる。
【０２６３】
球受け通路２８９を、前扉側下皿通路部２７３に通じるファール球通路２８１ａに遊技球を導入するように形成した。これにより、球受け通路２８９にて受けられた遊技球を下皿３４に排出することができる。また、本構成によれば、球受け通路２８９にて受けた遊技球の下皿３４への排出を既存の構成を利用して行うことができる。
【０２６４】
なお、上述した実施の形態の記載内容に限定されず、例えば次のように実施してもよい。
【０２６５】
（１）前扉側通路ユニットの変形例を図２８に示す。図２８は前扉側通路ユニット３５１の正面図である。
【０２６６】
本構成の前扉側通路ユニット３５１は上記実施の形態と同様に、受口部３５２及び通路形成部３５３を備えている。この場合に、上記実施の形態と異なり、通路形成部３５３は受口部３５２における内側開口部３５４側から延びている。つまり、受口部３５２において外側開口部３５５が前扉側上皿通路部３５６の球入口となっており内側開口部３５４が前扉側下皿通路部３５７の球入口となっている。なお、これに合わせて本体側上皿通路部及び本体側下皿通路部の位置関係も上記実施の形態とは逆となっている。
【０２６７】
かかる構成において受口部３５２における外側開口部３５５側の上端部にはパチンコ機１０外方に延出させて球退避部３５８が一体形成されている。つまり、球退避部３５８は外側開口部３５５に対して前扉枠１４の回動基端側において当該外側開口部３５５と左右に並んでいる。球退避部３５８は１個の遊技球が載ることができる程度の皿状となっており、その底部３５８ａは受口部３５２の上縁よりも下方であって外側開口部３５５の底部よりも上方にある。また、球退避部３５８の底部３５８ａは外側開口部３５５に向けて下り傾斜となっており、球退避部３５８と外側開口部３５５とは連通されている。また、上記実施の形態と同様に受口部３５２は前扉枠１４の回動軸よりも後方にあり、前扉枠１４の開放に際しての球退避部３５８の回動範囲には、本体側上皿通路部の下方領域の一部が含まれる。
【０２６８】
以上説明した球退避部３５８は上記実施の形態における第２抑制構造に対応しており、前扉枠１４の開放開始に際して前扉側上皿通路部と本体側上皿通路部との境界部分であって本体側上皿通路部寄りの位置に遊技球があったとしても、その遊技球は球退避部３５８に退避され得る。よって、球詰まりの発生が抑制され前扉枠１４の開放操作を円滑に行うことが可能となる。また、球退避部３５８の底部３５８ａは上記のとおり外側開口部３５５に向けて下り傾斜となっているので球退避部３５８に退避した遊技球は自重により外側開口部３５５内に入る。
【０２６９】
なお、本構成においては前扉枠１４の開閉に際して外側開口部３５５から前扉枠１４の回動基端側に零れ球が落下したとしても、その零れ球は球退避部３５８にて受けられ得る。また、回動先端側に零れ球が落下した場合には、その零れ球は内側開口部３５４にて受けられる。
【０２７０】
（２）上記実施の形態では、本体枠１３を前後方向に貫通しないように前扉側通路ユニット２７１の受口部２７５を形成したが、本体枠１３を前後方向に貫通させて当該受口部２７５を形成してもよい。但し、前扉側通路ユニット２７１を極力コンパクトなものとすべく、前扉側上皿通路部２７２及び前扉側下皿通路部２７３の入口部が本体枠１３の背面よりも前側となるように前扉側通路ユニット２７１を形成する必要がある。
【０２７１】
（３）上記実施の形態では、前扉枠１４側の各通路部２７２，２７３と本体枠１３側の各通路部２６２，２６３との境界部分の少なくとも一部が樹脂ベース７１の前側端部よりも後側となるようにしたが、これを変更してもよい。例えば、境界部分の全体が樹脂ベース７１の前側端部よりも後側となるようにしてもよい。この場合、樹脂ベース７１と前扉枠１４との間に上記境界部分を設けるための空間を確保する必要がないので、パチンコ機１０の厚み寸法を低減することが可能となる。なお、上記構成に限定されることはなく、上記境界部分の全体が樹脂ベース７１の前側端部よりも前側となるようにしてもよい。
【０２７２】
（４）シャッター機構の構成は上記実施の形態における構成に限定されない。例えば、シャッター部材２９３を、その上端部を軸線として回動するように設けてもよい。また、シャッター部材２９３が前後方向に移動するのではなく左右方向に移動することで、本体側上皿通路部２６２及び本体側下皿通路部２６３の球出口２６２ａ，２６３ａに対して出没するよう構成してもよい。また、シャッター部材２９３と前扉側通路ユニット２７１との間にリンク機構を設け、当該リンク機構を介してシャッター部材２９３が開閉する構成としてもよい。また、シャッター部材２９３を開閉させる駆動手段を設けるとともに、前扉枠１４の開閉を検知する開閉検知手段を設け、開閉検知手段の検知結果に基づいて駆動手段により駆動されてシャッター部材２９３が開閉する構成としてもよい。
【０２７３】
（５）上記実施の形態では、シャッター部材２９３の前側端面２９９に逃げ部２９９ｂを形成し、受口部２７５における前扉側下皿通路部２７３の球入口（外側開口部２７９）側がシャッター部材２９３に当接しないようにしたが、これに代えて、シャッター部材２９３に逃げ部２９９ｂを形成することなく、受口部２７５における前扉側下皿通路部２７３の球入口側がシャッター部材２９３に当接するようにしてもよい。
【０２７４】
（６）上記実施の形態では、前扉枠１４を閉鎖した際には前扉側通路ユニット２７１の受口部２７５とシャッター部材２９３とが当接することで、当該シャッター部材２９３が後方に押される構成としたが、これを変更してもよい。例えば、前扉側通路ユニット２７１の受口部２７５によりシャッター部材２９３を後方に押すのではなく、受口部２７５とは別に押出し部を形成し、当該押出し部によりシャッター部材２９３を後方に押すよう構成してもよい。
【０２７５】
（７）上記実施の形態では、本体枠１３の後側に遊技球振分部２５２を設けたが、当該遊技球振分部２５２を本体枠１３の前側に設けてもよい。具体的には、前扉側通路ユニット２７１の受口部２７５を遊技球振分部としてもよい。
【０２７６】
（８）満杯検知センサ２８０を前扉側下皿通路部２７３に対して設けるのではなく、本体側下皿通路部２６３や裏パック側下皿通路部２５９に対して（すなわち、連結通路に対して）設けてもよい。この場合、下皿３４が満杯状態となった場合における下皿３４よりも上流側にて待機される遊技球の数を増やすことができ、遊技球の貯留容量の増加を図ることが可能となる。また、かかる構成としたとしても、前扉枠１４の開放に際しては本体側下皿通路部２７３の遊技球の通過はシャッター部材２９３により阻止されるため、前扉枠１４の開放に際して本体側下皿通路部２７３に待機されている遊技球が零れてしまうといった不都合の発生を抑制することができる。
【０２７７】
（９）上記実施の形態では、移動許容部として受口部２７５の仕切壁２７７に凹部２８３を形成したが、これを変更してもよい。例えば、仕切壁２７７をその上縁が受口部２７５の上縁に対して下方となるように形成することで移動許容部を設ける構成としてもよい。本構成であっても、前扉枠１４の開放に際して前扉側上皿通路部２７２と本体側上皿通路部２６２との境界部分に遊技球があったとしても、その遊技球は仕切壁２７７を乗り越えて前扉側下皿通路部２７３の球入口側に移動することが可能となる。よって、上記境界部分にある遊技球が本体側上皿通路部２６２の通路壁に当たりづらくなり、前扉枠１４の開放を良好に行うことができる。
【０２７８】
（１０）通路形成部２７６の上壁２８７に遊技球の曲率に合わせた溝部を上壁２８７の延出方向に沿って形成するようにしてもよい。この場合、球受け通路２８９にて受けた遊技球をファール球通路２８１ａに向けてより確実に導くことができる。
【０２７９】
（１１）上記実施の形態では、前扉側通路ユニット２７１における通路形成部２７６の上壁２８７により球受け通路２８９を形成したが、通路形成部２７６と受口部２７５との位置関係を変更し、通路形成部２７６の側壁から外方に延出させて球受け部を形成するようにしてもよい。
【０２８０】
（１２）前扉枠１４側の各通路部２７２，２７３の各入口部を後方に開放させるとともに、本体枠１３側の各通路部２６２，２６３の各出口部を前方に開放させてもよい。この場合、本体枠１３側の各通路部２６２，２６３と前扉枠１４側の各通路部２７２，２７３との境界部分では遊技球が前後方向に流れる。
【０２８１】
（１３）球受け皿として上皿３３と下皿３４とを備えたパチンコ機１０ではなく、一の球受け皿のみを備えたパチンコ機１０に対して本発明を適用してもよい。また、一の球受け皿と、球貸出装置から貸し出された遊技球を受けて球受け皿に導くための補助受け皿とを備えたパチンコ機１０に対して本発明を適用してもよい。
【０２８２】
（１４）上記実施の形態では、前扉開放スイッチ７８や満杯検知センサ２８０の検知信号を主制御装置１６２にて入力するようにしたが、これら検知信号を払出制御装置２４２にて入力するようにしてもよい。
【０２８３】
（１５）払出停止処理（図２７）の処理構成は、上記実施の形態におけるものに限定されることはなく任意である。
【０２８４】
（１６）上記実施の形態では、第１特定ランプ部９３を図柄表示装置９１の表示画面の上方に配設したが、他の位置に配設してもよい。例えば、第１特定ランプ部９３をアウト口８７付近に配設してもよい。
【０２８５】
（１７）上記実施の形態では、第１図柄の変動表示を行う図柄表示装置９１と別に第１特定ランプ部９３を設けたが、第１特定ランプ部９３を設けずともよい。
【０２８６】
（１８）上記実施の形態では、図柄表示装置９１を備えたパチンコ機１０に対して本発明を適用したが、それ以外のタイプのパチンコ機に適用してもよい。例えば、遊技球転動部や有利口などが設けられた入賞役物装置を備えたパチンコ機に対して本発明を適用してもよい。また、パチンコ機とスロットマシンとが融合された遊技機に対して本発明を適用してもよい。
【符号の説明】
【０２８７】
１０…遊技機としてのパチンコ機、１１…外枠、１３…ベース体としての本体枠、１４…遊技機前面体としての前扉枠、１５…裏パックユニット、２１…窓パネル部を構成する窓部、２２…窓パネル部を構成するガラス、３３…上皿、３４…下皿、７８…開放検知手段としての前扉開放スイッチ、８２…一般入賞口、８３…可変入賞装置、８４…作動口、１０１…誘導レールを構成する内レール部、１０２…誘導レールを構成する外レール部、１１０…遊技球発射機構、１６２…主制御装置、２２４…払出装置、２４２…払出制御装置、２５２…遊技球振分部、２５７…第２通路形成体を構成する裏パック側通路ユニット、２５８…上皿用第２通路部を構成する裏パック側上皿通路部、２５９…下皿用第２通路部を構成する裏パック側下皿通路部、２６１…第２通路形成体を構成する本体側通路ユニット、２６２…上皿用第２通路部を構成する本体側上皿通路部、２６２ａ…球出口、２６３…下皿用第２通路部を構成する本体側下皿通路部、２６３ａ…球出口、２６４…仕切用通路壁、２６５…前側通路壁、２６６…右側通路壁、２７１…第１通路形成体としての前扉側通路ユニット、２７２…上皿用第１通路部としての前扉側上皿通路部、２７３…下皿用第１通路部としての前扉側下皿通路部、２７５…押出し部としての受口部、２７８…上皿用入口部としての内側開口部、２７９…下皿用入口部としての外側開口部、２８０…満杯検知センサ、２８１ａ…ファール球通路、２８２…回動軸、２８３…移動許容部としての凹部、２８７…上壁、２８９…球受け通路、２９３…シャッター部材、２９４…付勢手段としてのコイルバネ、２９８…上端部、２９９ａ…当接部、２９９ｂ…逃げ部、３５８…球退避部。
【図１】
0005445496.tif 000002
【図２】
0005445496.tif 000003
【図３】
0005445496.tif 000004
【図４】
0005445496.tif 000005
【図５】
0005445496.tif 000006
【図６】
0005445496.tif 000007
【図７】
0005445496.tif 000008
【図８】
0005445496.tif 000009
【図９】
0005445496.tif 000010
【図１０】
0005445496.tif 000011
【図１１】
0005445496.tif 000012
【図１２】
0005445496.tif 000013
【図１３】
0005445496.tif 000014
【図１４】
0005445496.tif 000015
【図１５】
0005445496.tif 000016
【図１６】
0005445496.tif 000017
【図１７】
0005445496.tif 000018
【図１８】
0005445496.tif 000019
【図１９】
0005445496.tif 000020
【図２０】
0005445496.tif 000021
【図２１】
0005445496.tif 000022
【図２２】
0005445496.tif 000023
【図２３】
0005445496.tif 000024
【図２４】
0005445496.tif 000025
【図２５】
0005445496.tif 000026
【図２６】
0005445496.tif 000027
【図２７】
0005445496.tif 000028
【図２８】
0005445496.tif 000029